(57)【要約】  本出願の実施形態は、関連する方法またはデバイスが新しい無線通信システムにおけるＰＵＣＣＨ送信をサポートしない従来技術の技術的問題を解決するために、ＰＵＣＣＨ送信方法、ユーザー機器および装置を提供する。ここで、ＰＵＣＣＨ送信方法では、ＰＵＣＣＨによって占有されるシンボルの数Ａを決定し、Ａは正の整数であり、シンボルの数Ａに対応して構成されるＰＵＣＣＨ構造の集合が決定され、ＰＵＣＣＨ構造の集合に含まれるＰＵＣＣＨ構造はＡ個のシンボルビットを含み、ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であり、ＰＵＣＣＨ構造の集合からＰＵＣＣＨに対応するＰＵＣＣＨ構造を決定し、対応するＰＵＣＣＨ構造に基づいてＰＵＣＣＨ送信を実行する。
2020530717.tif 000002
【特許請求の範囲】
【請求項１】
ＰＵＣＣＨによって占有されるシンボルの数Ａを決定するステップと、
前記シンボルの数Ａに対応して構成されるＰＵＣＣＨ構造の集合を決定するステップと、
前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ送信を実行するステップとを備え、
Ａは正の整数であり、
前記ＰＵＣＣＨ構造の集合に含まれるＰＵＣＣＨ構造はＡ個のシンボルビットを含み、前記ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であることを特徴とする物理アップリンク制御チャネルＰＵＣＣＨ送信方法。
【請求項２】
前記ＰＵＣＣＨ構造の集合が１つのＰＵＣＣＨ構造を含む場合、前記ＰＵＣＣＨ構造の集合から、前記ＰＵＣＣＨに対応するＰＵＣＣＨ構造を決定することは、前記ＰＵＣＣＨ構造の集合に含まれる１つのＰＵＣＣＨ構造を対応するＰＵＣＣＨ構造とすることを含み、または、
前記ＰＵＣＣＨ構造の集合が複数のＰＵＣＣＨ構造を含む場合、前記ＰＵＣＣＨ構造の集合から、前記ＰＵＣＣＨに対応するＰＵＣＣＨ構造を決定する場合、
取得された構成命令に従って、対応するＰＵＣＣＨ構造として前記ＰＵＣＣＨ構造の集合から１つのＰＵＣＣＨ構造を選択し、および/または、
前記ＰＵＣＣＨ送信に対して周波数ホッピングが実行されると決定した場合、対応するＰＵＣＣＨ構造として、前記ＰＵＣＣＨ構造の集合から、ＲＳの送信に使用されるシンボルビットが最大であるＰＵＣＣＨ構造を選択することを特徴とする請求項１に記載の物理アップリンク制御チャネルＰＵＣＣＨ送信方法。
【請求項３】
前記ＰＵＣＣＨ構造の集合は１つ以上のＰＵＣＣＨ構造を含む場合、
前記シンボルの数Ａの値がＸ１〜Ｘ２である場合、Ｘ１〜Ｘ２のシンボルの各数Ａについて、前記ＰＵＣＣＨ構造の集合において少なくとも２つのＰＵＣＣＨ構造を定義し、前記シンボルの数Ａの値が（Ｘ２＋１）〜Ｘ４である場合、（Ｘ２＋１）〜Ｘ４のシンボルの各数Ａについて、前記ＰＵＣＣＨ構造の集合において１つのＰＵＣＣＨ構造を定義し、または、
前記シンボルの数Ａの値がＸ１〜Ｘ２、Ｘ３〜Ｘ４である場合、Ｘ１〜Ｘ２、Ｘ３〜Ｘ４のシンボルの各数Ａについて、前記ＰＵＣＣＨ構造の集合において少なくとも２つのＰＵＣＣＨ構造を定義し、前記シンボルの数Ａの値が（Ｘ２＋１）〜（Ｘ３−１）である場合、（Ｘ２＋１）〜（Ｘ３−１）のシンボルの各数Ａについて、前記ＰＵＣＣＨ構造の集合において１つのＰＵＣＣＨ構造を定義し、または、
前記ＰＵＣＣＨによってサポートされるシンボルの各数Ａの値について、前記ＰＵＣＣＨ構造の集合において少なくとも２つのＰＵＣＣＨ構造を定義し、または、
前記ＰＵＣＣＨによってサポートされるシンボルの各数Ａの値について、前記ＰＵＣＣＨ構造の集合において１つのＰＵＣＣＨ構造を定義し、
ここで、Ｘ１、Ｘ２、Ｘ３、Ｘ４は正の整数であり、Ｘ１<Ｘ２<Ｘ３<Ｘ４であることを特徴とする請求項１に記載の物理アップリンク制御チャネルＰＵＣＣＨ送信方法。
【請求項４】
前記ＰＵＣＣＨ送信に対して周波数ホッピングが実行されると決定した場合、前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ送信を実行する場合、
前記ＰＵＣＣＨに含まれる最初の
【数１】
2020530717.tif 000047
個のシンボルを第１のシンボルグループとして、前記ＰＵＣＣＨに含まれる最後の
【数２】
2020530717.tif 000048
個のシンボルを第２のシンボルグループとして、異なる周波数領域位置で前記第１のシンボルグループによって運ばれる情報、前記第２のシンボルグループによって運ばれる情報を送信し、または、
前記ＰＵＣＣＨに含まれる最初の
【数３】
2020530717.tif 000049
個のシンボルを第１のシンボルグループとして、前記ＰＵＣＣＨに含まれる最後の
【数４】
2020530717.tif 000050
個のシンボルを第２のシンボルグループとして、異なる周波数領域位置で前記第１のシンボルグループによって運ばれる情報、前記第２のシンボルグループによって運ばれる情報を送信することを特徴とする請求項１に記載の物理アップリンク制御チャネルＰＵＣＣＨ送信方法。
【請求項５】
Ａが４の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUU，UURU，RUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRU，RURU，RUUR，URUR、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUU，UURU，RUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表すことを特徴とする請求項１から請求項４のいずれか１項に記載の物理アップリンク制御チャネルＰＵＣＣＨ送信方法。
【請求項６】
Ａが５の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、UURUU，URUUU，RUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRUU，UURRU，RUURU，RURUU，URURU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、UURUU，URUUU，RUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表すことを特徴とする請求項１から請求項４のいずれか１項に記載の物理アップリンク制御チャネルＰＵＣＣＨ送信方法。
【請求項７】
Ａが６の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUU，UURUUU，UUURUU，RUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URURUU，URUURU，RUUUUR，URUUUR，RUUURU，UURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表すことを特徴とする請求項１から請求項４のいずれか１項に記載の物理アップリンク制御チャネルＰＵＣＣＨ送信方法。
【請求項８】
Ａが７の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUUU，UURUUUU，UUURUUU，RUUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表すことを特徴とする請求項１から請求項４のいずれか１項に記載の物理アップリンク制御チャネルＰＵＣＣＨ送信方法。
【請求項９】
Ａが８の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表すことを特徴とする請求項１から請求項４のいずれか１項に記載の物理アップリンク制御チャネルＰＵＣＣＨ送信方法。
【請求項１０】
Ａが９の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表すことを特徴とする請求項１から請求項４のいずれか１項に記載の物理アップリンク制御チャネルＰＵＣＣＨ送信方法。
【請求項１１】
Ａが１０の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表すことを特徴とする請求項１から請求項４のいずれか１項に記載の物理アップリンク制御チャネルＰＵＣＣＨ送信方法。
【請求項１２】
Ａが１１の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表すことを特徴とする請求項１から請求項４のいずれか１項に記載の物理アップリンク制御チャネルＰＵＣＣＨ送信方法。
【請求項１３】
Ａが１２の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表すことを特徴とする請求項１から請求項４のいずれか１項に記載の物理アップリンク制御チャネルＰＵＣＣＨ送信方法。
【請求項１４】
Ａが１３の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
ここで、ＰＵＣＣＨ構造では、ＵはＵＣＩの送信に使用されるシンボルビットを表し、ＲはＲＳの送信に使用されるシンボルビットを表すことを特徴とする請求項１から請求項４のいずれか１項に記載の物理アップリンク制御チャネルＰＵＣＣＨ送信方法。
【請求項１５】
Ａが１４の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，：URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表すことを特徴とする請求項１から請求項４のいずれか１項に記載の物理アップリンク制御チャネルＰＵＣＣＨ送信方法。
【請求項１６】
ＰＵＣＣＨによって占有されるシンボルの数Ａを決定し、Ａは正の整数であり、
前記シンボルの数Ａに対応して構成されるＰＵＣＣＨ構造の集合を決定し、前記ＰＵＣＣＨ構造の集合に含まれるＰＵＣＣＨ構造はＡ個のシンボルビットを含み、前記ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であり、
前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ受信を実行することを特徴とする物理アップリンク制御チャネルＰＵＣＣＨ送信方法。
【請求項１７】
前記ＰＵＣＣＨ構造の集合が１つのＰＵＣＣＨ構造を含む場合、前記ＰＵＣＣＨ構造の集合から、前記ＰＵＣＣＨに対応するＰＵＣＣＨ構造を決定することは、前記ＰＵＣＣＨ構造の集合に含まれる１つのＰＵＣＣＨ構造を対応するＰＵＣＣＨ構造とすることを含み、または、
前記ＰＵＣＣＨ構造の集合が複数のＰＵＣＣＨ構造を含む場合、前記ＰＵＣＣＨ構造の集合から、前記ＰＵＣＣＨに対応するＰＵＣＣＨ構造を決定する場合、
前記ＰＵＣＣＨ構造の集合から対応するＰＵＣＣＨ構造として１つのＰＵＣＣＨ構造を選択し、選択結果を構成命令を通じて端末に通知し、および/または、
ＰＵＣＣＨ送信に対して周波数ホッピングが実行されると決定した場合、前記ＰＵＣＣＨ構造の集合から、対応するＰＵＣＣＨ構造として、ＲＳの送信に使用されるシンボルビットが最大であるＰＵＣＣＨ構造を選択し、構成命令を通じて周波数ホッピングの要求を端末に通知することを特徴とする請求項１６に記載の物理アップリンク制御チャネルＰＵＣＣＨ送信方法。
【請求項１８】
前記ＰＵＣＣＨ構造の集合は１つ以上のＰＵＣＣＨ構造を含む場合、
前記シンボルの数Ａの値がＸ１〜Ｘ２である場合、Ｘ１〜Ｘ２のシンボルの各数Ａについて、前記ＰＵＣＣＨ構造の集合において少なくとも２つのＰＵＣＣＨ構造を定義し、前記シンボルの数Ａの値が（Ｘ２＋１）〜Ｘ４である場合、（Ｘ２＋１）〜Ｘ４のシンボルの各数Ａについて、前記ＰＵＣＣＨ構造の集合において１つのＰＵＣＣＨ構造を定義し、または、
前記シンボルの数Ａの値が￥Ｘ１〜Ｘ２、Ｘ３〜Ｘ４である場合、Ｘ１〜Ｘ２、Ｘ３〜Ｘ４のシンボルの各数Ａについて、前記ＰＵＣＣＨ構造の集合において少なくとも２つのＰＵＣＣＨ構造を定義し、前記シンボルの数Ａの値が（Ｘ２＋１）〜（Ｘ３−１）である場合、（Ｘ２＋１）〜（Ｘ３−１）のシンボルの各数Ａについて、前記ＰＵＣＣＨ構造の集合において１つのＰＵＣＣＨ構造を定義し、または、
前記ＰＵＣＣＨによってサポートされるシンボルの各数Ａの値について、前記ＰＵＣＣＨ構造の集合において少なくとも２つのＰＵＣＣＨ構造を定義し、または、
前記ＰＵＣＣＨによってサポートされるシンボルの各数Ａの値について、前記ＰＵＣＣＨ構造の集合において１つのＰＵＣＣＨ構造を定義し、
ここで、Ｘ１、Ｘ２、Ｘ３、Ｘ４は正の整数であり、Ｘ１<Ｘ２<Ｘ３<Ｘ４であることを特徴とする請求項１６に記載の物理アップリンク制御チャネルＰＵＣＣＨ送信方法。
【請求項１９】
ＰＵＣＣＨ送信に対して周波数ホッピングが実行されると決定した場合、前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ受信を実行する場合、
前記ＰＵＣＣＨに含まれる最初の
【数５】
2020530717.tif 000051
個のシンボルを第１のシンボルグループとして、前記ＰＵＣＣＨに含まれる最後の
【数６】
2020530717.tif 000052
個のシンボルを第２のシンボルグループとして、異なる周波数領域位置で前記第１のシンボルグループによって運ばれる情報と、前記第２のシンボルグループによって運ばれる情報を受信し、または、
前記ＰＵＣＣＨに含まれる最初の
【数７】
2020530717.tif 000053
個のシンボルを第１のシンボルグループとして、前記ＰＵＣＣＨに含まれる最後の
【数８】
2020530717.tif 000054
個のシンボルを第２のシンボルグループとして、異なる周波数領域位置で前記第１のシンボルグループによって運ばれる情報と、前記第２のシンボルグループによって運ばれる情報を受信することを特徴とする請求項１６に記載の物理アップリンク制御チャネルＰＵＣＣＨ送信方法。
【請求項２０】
Ａが４の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUU，UURU，RUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRU，RURU，RUUR，URUR、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUU，UURU，RUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表すことを特徴とする請求項１６から請求項１９のいずれか１項に記載の物理アップリンク制御チャネルＰＵＣＣＨ送信方法。
【請求項２１】
Ａが５の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、UURUU，URUUU，RUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRUU，UURRU，RUURU，RURUU，URURU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、UURUU，URUUU，RUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表すことを特徴とする請求項１６から請求項１９のいずれか１項に記載の物理アップリンク制御チャネルＰＵＣＣＨ送信方法。
【請求項２２】
Ａが６の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUU，UURUUU，UUURUU，RUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URURUU，URUURU，RUUUUR，URUUUR，RUUURU，UURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表すことを特徴とする請求項１６から請求項１９のいずれか１項に記載の物理アップリンク制御チャネルＰＵＣＣＨ送信方法。
【請求項２３】
Ａが７の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUUU，UURUUUU，UUURUUU，RUUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表すことを特徴とする請求項１６から請求項１９のいずれか１項に記載の物理アップリンク制御チャネルＰＵＣＣＨ送信方法。
【請求項２４】
Ａが８の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表すことを特徴とする請求項１６から請求項１９のいずれか１項に記載の物理アップリンク制御チャネルＰＵＣＣＨ送信方法。
【請求項２５】
Ａが９の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表すことを特徴とする請求項１６から請求項１９のいずれか１項に記載の物理アップリンク制御チャネルＰＵＣＣＨ送信方法。
【請求項２６】
Ａが１０の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表すことを特徴とする請求項１６から請求項１９のいずれか１項に記載の物理アップリンク制御チャネルＰＵＣＣＨ送信方法。
【請求項２７】
Ａが１１の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表すことを特徴とする請求項１６から請求項１９のいずれか１項に記載の物理アップリンク制御チャネルＰＵＣＣＨ送信方法。
【請求項２８】
Ａが１２の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表すことを特徴とする請求項１６から請求項１９のいずれか１項に記載の物理アップリンク制御チャネルＰＵＣＣＨ送信方法。
【請求項２９】
Ａが１３の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
ここで、ＰＵＣＣＨ構造では、ＵはＵＣＩの送信に使用されるシンボルビットを表し、ＲはＲＳの送信に使用されるシンボルビットを表すことを特徴とする請求項１６から請求項１９のいずれか１項に記載の物理アップリンク制御チャネルＰＵＣＣＨ送信方法。
【請求項３０】
Ａが１４の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，：URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表すことを特徴とする請求項１６から請求項１９のいずれか１項に記載の物理アップリンク制御チャネルＰＵＣＣＨ送信方法。
【請求項３１】
ユーザー機器プロセッサと、プロセッサに接続されたメモリと、送受信機とを備え、前記プロセッサは、メモリ内のプログラムを読み取り、次のプロセスを実行するように構成され、
ＰＵＣＣＨによって占有されるシンボルの数Ａを決定し、Ａは正の整数であり、前記シンボルの数Ａに対応して構成されるＰＵＣＣＨ構造の集合を決定し、前記ＰＵＣＣＨ構造の集合に含まれるＰＵＣＣＨ構造はＡ個のシンボルビットを含み、前記ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であり、前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ送信を実行することを特徴とするユーザー機器。
【請求項３２】
前記プロセッサは、
前記ＰＵＣＣＨ構造の集合が１つのＰＵＣＣＨ構造を含む場合、前記ＰＵＣＣＨ構造の集合に含まれる１つのＰＵＣＣＨ構造を対応するＰＵＣＣＨ構造とし、または、
前記ＰＵＣＣＨ構造の集合が複数のＰＵＣＣＨ構造を含む場合、取得された構成命令に従って、対応するＰＵＣＣＨ構造として前記ＰＵＣＣＨ構造の集合から１つのＰＵＣＣＨ構造を選択し、および/または、前記ＰＵＣＣＨ送信に対して周波数ホッピングが実行されると決定した場合、対応するＰＵＣＣＨ構造として、前記ＰＵＣＣＨ構造の集合から、ＲＳの送信に使用されるシンボルビットが最大であるＰＵＣＣＨ構造を選択することを特徴とする請求項３１に記載のユーザー機器。
【請求項３３】
前記ＰＵＣＣＨ構造の集合は１つ以上のＰＵＣＣＨ構造を含む場合、
前記シンボルの数Ａの値がＸ１〜Ｘ２である場合、Ｘ１〜Ｘ２のシンボルの各数Ａについて、前記ＰＵＣＣＨ構造の集合において少なくとも２つのＰＵＣＣＨ構造を定義し、前記シンボルの数Ａの値が（Ｘ２＋１）〜Ｘ４である場合、（Ｘ２＋１）〜Ｘ４のシンボルの各数Ａについて、前記ＰＵＣＣＨ構造の集合において１つのＰＵＣＣＨ構造を定義し、または、
前記シンボルの数Ａの値がＸ１〜Ｘ２、Ｘ３〜Ｘ４である場合、Ｘ１〜Ｘ２、Ｘ３〜Ｘ４のシンボルの各数Ａについて、前記ＰＵＣＣＨ構造の集合において少なくとも２つのＰＵＣＣＨ構造を定義し、前記シンボルの数Ａの値が（Ｘ２＋１）〜（Ｘ３−１）である場合、（Ｘ２＋１）〜（Ｘ３−１）のシンボルの各数Ａについて、前記ＰＵＣＣＨ構造の集合において１つのＰＵＣＣＨ構造を定義し、または、
前記ＰＵＣＣＨによってサポートされるシンボルの各数Ａの値について、前記ＰＵＣＣＨ構造の集合において少なくとも２つのＰＵＣＣＨ構造を定義し、または、
前記ＰＵＣＣＨによってサポートされるシンボルの各数Ａの値について、前記ＰＵＣＣＨ構造の集合において１つのＰＵＣＣＨ構造を定義し、
ここで、Ｘ１、Ｘ２、Ｘ３、Ｘ４は正の整数であり、Ｘ１<Ｘ２<Ｘ３<Ｘ４であることを特徴とする請求項３１に記載のユーザー機器。
【請求項３４】
前記プロセッサは、
前記ＰＵＣＣＨ送信に対して周波数ホッピングが実行されると決定した場合、前記ＰＵＣＣＨに含まれる最初の
【数９】
2020530717.tif 000055
個のシンボルを第１のシンボルグループとして、前記ＰＵＣＣＨに含まれる最後の
【数１０】
2020530717.tif 000056
個のシンボルを第２のシンボルグループとして、異なる周波数領域位置で前記第１のシンボルグループによって運ばれる情報、前記第２のシンボルグループによって運ばれる情報を送信し、または、
前記ＰＵＣＣＨに含まれる最初の
【数１１】
2020530717.tif 000057
個のシンボルを第１のシンボルグループとして、前記ＰＵＣＣＨに含まれる最後の
【数１２】
2020530717.tif 000058
個のシンボルを第２のシンボルグループとして、異なる周波数領域位置で前記第１のシンボルグループによって運ばれる情報、前記第２のシンボルグループによって運ばれる情報を送信することを特徴とする請求項３１に記載のユーザー機器。
【請求項３５】
Ａが４の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUU，UURU，RUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRU，RURU，RUUR，URUR、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUU，UURU，RUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表すことを特徴とする請求項３１から請求項３４のいずれか１項に記載のユーザー機器。
【請求項３６】
Ａが５の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、UURUU，URUUU，RUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRUU，UURRU，RUURU，RURUU，URURU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、UURUU，URUUU，RUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表すことを特徴とする請求項３１から請求項３４のいずれか１項に記載のユーザー機器。
【請求項３７】
Ａが６の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUU，UURUUU，UUURUU，RUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URURUU，URUURU，RUUUUR，URUUUR，RUUURU，UURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表すことを特徴とする請求項３１から請求項３４のいずれか１項に記載のユーザー機器。
【請求項３８】
Ａが７の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUUU，UURUUUU，UUURUUU，RUUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表すことを特徴とする請求項３１から請求項３４のいずれか１項に記載のユーザー機器。
【請求項３９】
Ａが８の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表すことを特徴とする請求項３１から請求項３４のいずれか１項に記載のユーザー機器。
【請求項４０】
Ａが９の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表すことを特徴とする請求項３１から請求項３４のいずれか１項に記載のユーザー機器。
【請求項４１】
Ａが１０の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表すことを特徴とする請求項３１から請求項３４のいずれか１項に記載のユーザー機器。
【請求項４２】
Ａが１１の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表すことを特徴とする請求項３１から請求項３４のいずれか１項に記載のユーザー機器。
【請求項４３】
Ａが１２の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表すことを特徴とする請求項３１から請求項３４のいずれか１項に記載のユーザー機器。
【請求項４４】
Ａが１３の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
ここで、ＰＵＣＣＨ構造では、ＵはＵＣＩの送信に使用されるシンボルビットを表し、ＲはＲＳの送信に使用されるシンボルビットを表すことを特徴とする請求項３１から請求項３４のいずれか１項に記載のユーザー機器。
【請求項４５】
Ａが１４の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，：URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表すことを特徴とする請求項３１から請求項３４のいずれか１項に記載のユーザー機器。
【請求項４６】
プロセッサと、プロセッサに接続されたメモリと、送受信機とを備え、
前記プロセッサは、メモリ内のプログラムを読み取り、次のプロセスを実行するように構成され、
ＰＵＣＣＨによって占有されるシンボルの数Ａを決定し、Ａは正の整数であり、前記シンボルの数Ａに対応して構成されるＰＵＣＣＨ構造の集合を決定し、前記ＰＵＣＣＨ構造の集合に含まれるＰＵＣＣＨ構造はＡ個のシンボルビットを含み、前記ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であり、前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ受信を実行することを特徴とする装置。
【請求項４７】
前記ＰＵＣＣＨ構造の集合が１つのＰＵＣＣＨ構造を含む場合、前記ＰＵＣＣＨ構造の集合から、前記ＰＵＣＣＨに対応するＰＵＣＣＨ構造を決定することは、前記ＰＵＣＣＨ構造の集合に含まれる１つのＰＵＣＣＨ構造を対応するＰＵＣＣＨ構造とすることを含み、または、
前記ＰＵＣＣＨ構造の集合が複数のＰＵＣＣＨ構造を含む場合、前記ＰＵＣＣＨ構造の集合から、前記ＰＵＣＣＨに対応するＰＵＣＣＨ構造を決定する場合、
前記ＰＵＣＣＨ構造の集合から対応するＰＵＣＣＨ構造として１つのＰＵＣＣＨ構造を選択し、選択結果を構成命令を通じて端末に通知するように送受信機を制御し、および/または、
ＰＵＣＣＨ送信に対して周波数ホッピングが実行されると決定した場合、前記ＰＵＣＣＨ構造の集合から、対応するＰＵＣＣＨ構造として、ＲＳの送信に使用されるシンボルビットが最大であるＰＵＣＣＨ構造を選択し、構成命令を通じて周波数ホッピングの要求を端末に通知するように送受信機を制御することを特徴とする請求項４６に記載の装置。
【請求項４８】
前記ＰＵＣＣＨ構造の集合は１つ以上のＰＵＣＣＨ構造を含む場合、
前記シンボルの数Ａの値がＸ１〜Ｘ２である場合、Ｘ１〜Ｘ２のシンボルの各数Ａについて、前記ＰＵＣＣＨ構造の集合において少なくとも２つのＰＵＣＣＨ構造を定義し、前記シンボルの数Ａの値が（Ｘ２＋１）〜Ｘ４である場合、（Ｘ２＋１）〜Ｘ４のシンボルの各数Ａについて、前記ＰＵＣＣＨ構造の集合において１つのＰＵＣＣＨ構造を定義し、または、
前記シンボルの数Ａの値がＸ１〜Ｘ２、Ｘ３〜Ｘ４である場合、Ｘ１〜Ｘ２、Ｘ３〜Ｘ４のシンボルの各数Ａについて、前記ＰＵＣＣＨ構造の集合において少なくとも２つのＰＵＣＣＨ構造を定義し、前記シンボルの数Ａの値が（Ｘ２＋１）〜（Ｘ３−１）である場合、（Ｘ２＋１）〜（Ｘ３−１）のシンボルの各数Ａについて、前記ＰＵＣＣＨ構造の集合において１つのＰＵＣＣＨ構造を定義し、または、
前記ＰＵＣＣＨによってサポートされるシンボルの各数Ａの値について、前記ＰＵＣＣＨ構造の集合において少なくとも２つのＰＵＣＣＨ構造を定義し、または、
前記ＰＵＣＣＨによってサポートされるシンボルの各数Ａの値について、前記ＰＵＣＣＨ構造の集合において１つのＰＵＣＣＨ構造を定義し、
ここで、Ｘ１、Ｘ２、Ｘ３、Ｘ４は正の整数であり、Ｘ１<Ｘ２<Ｘ３<Ｘ４であることを特徴とする請求項４６に記載の装置。
【請求項４９】
前記プロセッサは、
ＰＵＣＣＨ送信に対して周波数ホッピングが実行されると決定した場合、前記ＰＵＣＣＨに含まれる最初の
【数１３】
2020530717.tif 000059
個のシンボルを第１のシンボルグループとして、前記ＰＵＣＣＨに含まれる最後の
【数１４】
2020530717.tif 000060
個のシンボルを第２のシンボルグループとして、異なる周波数領域位置で前記第１のシンボルグループによって運ばれる情報と、前記第２のシンボルグループによって運ばれる情報を受信し、または、
前記ＰＵＣＣＨに含まれる最初の
【数１５】
2020530717.tif 000061
個のシンボルを第１のシンボルグループとして、前記ＰＵＣＣＨに含まれる最後の
【数１６】
2020530717.tif 000062
個のシンボルを第２のシンボルグループとして、異なる周波数領域位置で前記第１のシンボルグループによって運ばれる情報と、前記第２のシンボルグループによって運ばれる情報を受信することを特徴とする請求項４６に記載の装置。
【請求項５０】
Ａが４の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUU，UURU，RUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRU，RURU，RUUR，URUR、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUU，UURU，RUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表すことを特徴とする請求項４６から請求項４９のいずれか１項に記載の装置。
【請求項５１】
Ａが５の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、UURUU，URUUU，RUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRUU，UURRU，RUURU，RURUU，URURU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、UURUU，URUUU，RUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表すことを特徴とする請求項４６から請求項４９のいずれか１項に記載の装置。
【請求項５２】
Ａが６の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUU，UURUUU，UUURUU，RUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URURUU，URUURU，RUUUUR，URUUUR，RUUURU，UURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表すことを特徴とする請求項４６から請求項４９のいずれか１項に記載の装置。
【請求項５３】
Ａが７の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUUU，UURUUUU，UUURUUU，RUUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表すことを特徴とする請求項４６から請求項４９のいずれか１項に記載の装置。
【請求項５４】
Ａが８の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表すことを特徴とする請求項４６から請求項４９のいずれか１項に記載の装置。
【請求項５５】
Ａが９の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表すことを特徴とする請求項４６から請求項４９のいずれか１項に記載の装置。
【請求項５６】
Ａが１０の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表すことを特徴とする請求項４６から請求項４９のいずれか１項に記載の装置。
【請求項５７】
Ａが１１の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表すことを特徴とする請求項４６から請求項４９のいずれか１項に記載の装置。
【請求項５８】
Ａが１２の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表すことを特徴とする請求項４６から請求項４９のいずれか１項に記載の装置。
【請求項５９】
Ａが１３の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
ここで、ＰＵＣＣＨ構造では、ＵはＵＣＩの送信に使用されるシンボルビットを表し、ＲはＲＳの送信に使用されるシンボルビットを表すことを特徴とする請求項４６から請求項４９のいずれか１項に記載の装置。
【請求項６０】
Ａが１４の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表すことを特徴とする請求項４６から請求項４９のいずれか１項に記載の装置。
【請求項６１】
コンピュータ実行可能命令がコンピュータ可読記憶媒体に格納され、請求項１〜１５のいずれか一項に記載の方法または請求項１６〜３０のいずれか一項に記載の方法をコンピュータに実行させるために使用されるコンピュータ記憶媒体。
【発明の詳細な説明】
【技術分野】
【０００１】
関連出願の相互参照
本出願は、２０１７年８月１１日に中国特許局に提出し、出願番号が２０１７１０６８７２８５.４であり、発明名称が「ＰＵＣＣＨ送信方法、ユーザー機器および装置」との中国特許出願を基礎とする優先権を主張し、その開示の総てをここに取り込む。
【０００２】
本発明は、通信技術分野に関し、特にＰＵＣＣＨ送信方法、ユーザー機器および装置に関する。
【背景技術】
【０００３】
ＬＴＥ（Ｌｏｎｇ Ｔｅｒｍ Ｅｖｏｌｕｔｉｏｎ）システムでは、ＰＵＣＣＨ（Ｐｈｙｓｉｃａｌ Ｕｐｌｉｎｋ Ｃｏｎｔｒｏｌ Ｃｈａｎｎｅｌ，物理アップリンク制御チャネル）送信はサブフレームを単位として実行され、１つのスロット（ｓｌｏｔ）内のＰＵＣＣＨによって占有されるリソースシンボルの数は固定され、１つのＰＵＣＣＨ構造のみLTEシステムで定義されている。したがって、ＰＵＣＣＨ送信がＬＴＥシステムで実行されるとき、ＰＵＣＣＨ送信は、定義された唯一のＰＵＣＣＨ構造によって直接実現され得る。
【０００４】
移動体通信サービス要件の開発および変更に伴い、ＩＴＵ（Ｉｎｔｅｒｎａｔｉｏｎａｌ Ｔｅｌｅｃｏｍｍｕｎｉｃａｔｉｏｎ Ｕｎｉｏｎ，国際電気通信連合）および第３世代パートナーシッププロジェクト（３ｒｄ Ｇｅｎｅｒａｔｉｏｎ Ｐａｒｔｎｅｒｓｈｉｐ Ｐｒｏｊｅｃｔ，３ＧＰＰ）などの組織は、５Ｇ ＮＲ（５ Ｇｅｎｅｒａｔｉｏｎ Ｎｅｗ ＲＡＴ，５世代新製品）などの新しい無線通信システムに関する研究を開始する。
【０００５】
１つのスロット内の２つのＰＵＣＣＨ、すなわち、送信を実行する長いＰＵＣＣＨおよび短いＰＵＣＣＨは、新しい無線通信システムにおいて定義される。スロット内の長いＰＵＣＣＨが占有するリソースシンボルの数は固定されておらず、システムで採用されているＰＵＣＣＨ構造も固定されていないため、既存のＰＵＣＣＨ送信方法は新しい無線通信システムに適応できない。
【発明の概要】
【発明が解決しようとする課題】
【０００６】
上記に基づいて、従来の技術の関連する方法または装置は、新しい無線通信システムにおけるＰＵＣＣＨ送信をサポートしない。
【０００７】
本出願の実施形態は、関連する方法またはデバイスが新しい無線通信システムにおけるＰＵＣＣＨ送信をサポートしない従来技術の技術的問題を解決するために、ＰＵＣＣＨ送信方法、ユーザー機器および装置を提供する。
【課題を解決するための手段】
【０００８】
第１の態様において、本出願の実施形態に係るＰＵＣＣＨ送信方法は、
ＰＵＣＣＨによって占有されるシンボルの数Ａを決定し、Ａは正の整数であり、
前記シンボルの数Ａに対応して構成されるＰＵＣＣＨ構造の集合を決定するステップと、
前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ送信を実行するステップとを備え、
前記ＰＵＣＣＨ構造の集合に含まれるＰＵＣＣＨ構造はＡ個のシンボルビットを含み、前記ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則である。
【０００９】
可能な一実施では、前記ＰＵＣＣＨ構造の集合が１つのＰＵＣＣＨ構造を含む場合、前記ＰＵＣＣＨ構造の集合から、前記ＰＵＣＣＨに対応するＰＵＣＣＨ構造を決定することは、前記ＰＵＣＣＨ構造の集合に含まれる１つのＰＵＣＣＨ構造を対応するＰＵＣＣＨ構造とすることを含み、または、
前記ＰＵＣＣＨ構造の集合が複数のＰＵＣＣＨ構造を含む場合、前記ＰＵＣＣＨ構造の集合から、前記ＰＵＣＣＨに対応するＰＵＣＣＨ構造を決定する場合、
取得された構成命令に従って、対応するＰＵＣＣＨ構造として前記ＰＵＣＣＨ構造の集合から１つのＰＵＣＣＨ構造を選択し、および/または、
前記ＰＵＣＣＨ送信に対して周波数ホッピングが実行されると決定した場合、対応するＰＵＣＣＨ構造として、前記ＰＵＣＣＨ構造の集合から、ＲＳの送信に使用されるシンボルビットが最大であるＰＵＣＣＨ構造を選択する。
【００１０】
可能な一実施では、前記ＰＵＣＣＨ構造の集合は１つ以上のＰＵＣＣＨ構造を含む場合、
前記シンボルの数Ａの値がＸ１〜Ｘ２である場合、Ｘ１〜Ｘ２のシンボルの各数Ａについて、前記ＰＵＣＣＨ構造の集合において少なくとも２つのＰＵＣＣＨ構造を定義し、前記シンボルの数Ａの値が（Ｘ２＋１）〜Ｘ４である場合、（Ｘ２＋１）〜Ｘ４のシンボルの各数Ａについて、前記ＰＵＣＣＨ構造の集合において１つのＰＵＣＣＨ構造を定義し、または、
前記シンボルの数Ａの値がＸ１〜Ｘ２、Ｘ３〜Ｘ４である場合、Ｘ１〜Ｘ２、Ｘ３〜Ｘ４のシンボルの各数Ａについて、前記ＰＵＣＣＨ構造の集合において少なくとも２つのＰＵＣＣＨ構造を定義し、前記シンボルの数Ａの値が（Ｘ２＋１）〜（Ｘ３−１）である場合、（Ｘ２＋１）〜（Ｘ３−１）のシンボルの各数Ａについて、前記ＰＵＣＣＨ構造の集合において１つのＰＵＣＣＨ構造を定義し、または、
前記ＰＵＣＣＨによってサポートされるシンボルの各数Ａの値について、前記ＰＵＣＣＨ構造の集合において少なくとも２つのＰＵＣＣＨ構造を定義し、または、
前記ＰＵＣＣＨによってサポートされるシンボルの各数Ａの値について、前記ＰＵＣＣＨ構造の集合において１つのＰＵＣＣＨ構造を定義し、
ここで、Ｘ１、Ｘ２、Ｘ３、Ｘ４は正の整数であり、Ｘ１<Ｘ２<Ｘ３<Ｘ４である。
【００１１】
可能な一実施では、前記ＰＵＣＣＨ送信に対して周波数ホッピングが実行されると決定した場合、前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ送信を実行する場合、
前記ＰＵＣＣＨに含まれる最初の
【数１】
2020530717.tif 000003
個のシンボルを第１のシンボルグループとして、前記ＰＵＣＣＨに含まれる最後の
【数２】
2020530717.tif 000004
個のシンボルを第２のシンボルグループとして、異なる周波数領域位置で前記第１のシンボルグループによって運ばれる情報、前記第２のシンボルグループによって運ばれる情報を送信し、または、
前記ＰＵＣＣＨに含まれる最初の
【数３】
2020530717.tif 000005
個のシンボルを第１のシンボルグループとして、前記ＰＵＣＣＨに含まれる最後の
【数４】
2020530717.tif 000006
個のシンボルを第２のシンボルグループとして、異なる周波数領域位置で前記第１のシンボルグループによって運ばれる情報、前記第２のシンボルグループによって運ばれる情報を送信する。
【００１２】
可能な一実施では、Ａが４の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUU，UURU，RUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRU，RURU，RUUR，URUR、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUU，UURU，RUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表す。
【００１３】
可能な一実施では、Ａが５の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、UURUU，URUUU，RUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRUU，UURRU，RUURU，RURUU，URURU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、UURUU，URUUU，RUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表す。
【００１４】
可能な一実施では、Ａが６の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUU，UURUUU，UUURUU，RUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URURUU，URUURU，RUUUUR，URUUUR，RUUURU，UURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表す。
【００１５】
可能な一実施では、Ａが７の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUUU，UURUUUU，UUURUUU，RUUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表す。
【００１６】
可能な一実施では、Ａが８の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表す。
【００１７】
可能な一実施では、Ａが９の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【００１８】
可能な一実施では、Ａが１０の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表す。
【００１９】
可能な一実施では、Ａが１１の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表す。
【００２０】
可能な一実施では、Ａが１２の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表す。
【００２１】
可能な一実施では、Ａが１３の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
【００２２】
ここで、ＰＵＣＣＨ構造では、ＵはＵＣＩの送信に使用されるシンボルビットを表し、ＲはＲＳの送信に使用されるシンボルビットを表す。
【００２３】
可能な一実施では、Ａが１４の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【００２４】
第２の態様において、本出願の実施形態に係るたのＰＵＣＣＨ送信方法では、
ＰＵＣＣＨによって占有されるシンボルの数Ａを決定し、Ａは正の整数であり、
前記シンボルの数Ａに対応して構成されるＰＵＣＣＨ構造の集合を決定し、前記ＰＵＣＣＨ構造の集合に含まれるＰＵＣＣＨ構造はＡ個のシンボルビットを含み、前記ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であり、
前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ受信を実行する。
【００２５】
可能な一実施では、前記ＰＵＣＣＨ構造の集合が１つのＰＵＣＣＨ構造を含む場合、前記ＰＵＣＣＨ構造の集合から、前記ＰＵＣＣＨに対応するＰＵＣＣＨ構造を決定することは、前記ＰＵＣＣＨ構造の集合に含まれる１つのＰＵＣＣＨ構造を対応するＰＵＣＣＨ構造とすることを含み、または、
前記ＰＵＣＣＨ構造の集合が複数のＰＵＣＣＨ構造を含む場合、前記ＰＵＣＣＨ構造の集合から、前記ＰＵＣＣＨに対応するＰＵＣＣＨ構造を決定する場合、
前記ＰＵＣＣＨ構造の集合から対応するＰＵＣＣＨ構造として１つのＰＵＣＣＨ構造を選択し、選択結果を構成命令を通じて端末に通知し、および/または、
前記ＰＵＣＣＨ送信に対して周波数ホッピングが実行されると決定した場合、前記ＰＵＣＣＨ構造の集合から、対応するＰＵＣＣＨ構造として、ＲＳの送信に使用されるシンボルビットが最大であるＰＵＣＣＨ構造を選択し、構成命令を通じて周波数ホッピングの要求を端末に通知する。
【００２６】
可能な一実施では、前記ＰＵＣＣＨ構造の集合は１つ以上のＰＵＣＣＨ構造を含む場合、
前記シンボルの数Ａの値がＸ１〜Ｘ２である場合、Ｘ１〜Ｘ２のシンボルの各数Ａについて、前記ＰＵＣＣＨ構造の集合において少なくとも２つのＰＵＣＣＨ構造を定義し、前記シンボルの数Ａの値が（Ｘ２＋１）〜Ｘ４である場合、（Ｘ２＋１）〜Ｘ４のシンボルの各数Ａについて、前記ＰＵＣＣＨ構造の集合において１つのＰＵＣＣＨ構造を定義し、または、
前記シンボルの数Ａの値がＸ１〜Ｘ２、Ｘ３〜Ｘ４である場合、Ｘ１〜Ｘ２、Ｘ３〜Ｘ４のシンボルの各数Ａについて、前記ＰＵＣＣＨ構造の集合において少なくとも２つのＰＵＣＣＨ構造を定義し、前記シンボルの数Ａの値が（Ｘ２＋１）〜（Ｘ３−１）である場合、（Ｘ２＋１）〜（Ｘ３−１）のシンボルの各数Ａについて、前記ＰＵＣＣＨ構造の集合において１つのＰＵＣＣＨ構造を定義し、または、
前記ＰＵＣＣＨによってサポートされるシンボルの各数Ａの値について、前記ＰＵＣＣＨ構造の集合において少なくとも２つのＰＵＣＣＨ構造を定義し、または、
前記ＰＵＣＣＨによってサポートされるシンボルの各数Ａの値について、前記ＰＵＣＣＨ構造の集合において１つのＰＵＣＣＨ構造を定義し、
ここで、Ｘ１、Ｘ２、Ｘ３、Ｘ４は正の整数であり、Ｘ１<Ｘ２<Ｘ３<Ｘ４である。
【００２７】
可能な一実施では、前記ＰＵＣＣＨ送信に対して周波数ホッピングが実行されると決定した場合、前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ受信を実行する場合、
前記ＰＵＣＣＨに含まれる最初の
【数５】
2020530717.tif 000007
個のシンボルを第１のシンボルグループとして、前記ＰＵＣＣＨに含まれる最後の
【数６】
2020530717.tif 000008
個のシンボルを第２のシンボルグループとして、異なる周波数領域位置で前記第１のシンボルグループによって運ばれる情報と、前記第２のシンボルグループによって運ばれる情報を受信し、または、
前記ＰＵＣＣＨに含まれる最初の
【数７】
2020530717.tif 000009
個のシンボルを第１のシンボルグループとして、前記ＰＵＣＣＨに含まれる最後の
【数８】
2020530717.tif 000010
個のシンボルを第２のシンボルグループとして、異なる周波数領域位置で前記第１のシンボルグループによって運ばれる情報と、前記第２のシンボルグループによって運ばれる情報を受信する。
【００２８】
可能な一実施では、Ａが４の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUU，UURU，RUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRU，RURU，RUUR，URUR、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUU，UURU，RUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表す。
【００２９】
可能な一実施では、Ａが５の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、UURUU，URUUU，RUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRUU，UURRU，RUURU，RURUU，URURU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、UURUU，URUUU，RUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表す。
【００３０】
可能な一実施では、Ａが６の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUU，UURUUU，UUURUU，RUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URURUU，URUURU，RUUUUR，URUUUR，RUUURU，UURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表す。
【００３１】
可能な一実施では、Ａが７の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUUU，UURUUUU，UUURUUU，RUUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表す。
【００３２】
可能な一実施では、Ａが８の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表す。
【００３３】
可能な一実施では、Ａが９の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【００３４】
可能な一実施では、Ａが１０の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表す。
【００３５】
可能な一実施では、Ａが１１の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表す。
【００３６】
可能な一実施では、Ａが１２の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表す。
【００３７】
可能な一実施では、Ａが１３の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
ここで、ＰＵＣＣＨ構造では、ＵはＵＣＩの送信に使用されるシンボルビットを表し、ＲはＲＳの送信に使用されるシンボルビットを表す。
【００３８】
可能な一実施では、Ａが１４の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【００３９】
第３の態様において、本出願の実施形態に係るたのユーザー機器は、プロセッサと、プロセッサに接続されたメモリと、送受信機とを備え、前記プロセッサは、メモリ内のプログラムを読み取り、次のプロセスを実行するように構成され、
ＰＵＣＣＨによって占有されるシンボルの数Ａを決定し、Ａは正の整数であり、
前記シンボルの数Ａに対応して構成されるＰＵＣＣＨ構造の集合を決定し、前記ＰＵＣＣＨ構造の集合に含まれるＰＵＣＣＨ構造はＡ個のシンボルビットを含み、前記ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であり、
前記ＰＵＣＣＨ構造の集合から、前記ＰＵＣＣＨに対応するＰＵＣＣＨ構造を決定し、送受信機により、前記に対応するＰＵＣＣＨ構造に基づいてＰＵＣＣＨ送信を実行する。
【００４０】
可能な一実施では、前記ＰＵＣＣＨ構造の集合が１つのＰＵＣＣＨ構造を含む場合、前記ＰＵＣＣＨ構造の集合から、前記ＰＵＣＣＨに対応するＰＵＣＣＨ構造を決定することは、前記ＰＵＣＣＨ構造の集合に含まれる１つのＰＵＣＣＨ構造を対応するＰＵＣＣＨ構造とすることを含み、または、
前記ＰＵＣＣＨ構造の集合が複数のＰＵＣＣＨ構造を含む場合、前記ＰＵＣＣＨ構造の集合から、前記ＰＵＣＣＨに対応するＰＵＣＣＨ構造を決定する場合、
取得された構成命令に従って、対応するＰＵＣＣＨ構造として前記ＰＵＣＣＨ構造の集合から１つのＰＵＣＣＨ構造を選択し、および/または、
前記ＰＵＣＣＨ送信に対して周波数ホッピングが実行されると決定した場合、対応するＰＵＣＣＨ構造として、前記ＰＵＣＣＨ構造の集合から、ＲＳの送信に使用されるシンボルビットが最大であるＰＵＣＣＨ構造を選択する。
【００４１】
可能な一実施では、前記ＰＵＣＣＨ構造の集合は１つ以上のＰＵＣＣＨ構造を含む場合、
前記シンボルの数Ａの値がＸ１〜Ｘ２である場合、Ｘ１〜Ｘ２のシンボルの各数Ａについて、前記ＰＵＣＣＨ構造の集合において少なくとも２つのＰＵＣＣＨ構造を定義し、前記シンボルの数Ａの値が（Ｘ２＋１）〜Ｘ４である場合、（Ｘ２＋１）〜Ｘ４のシンボルの各数Ａについて、前記ＰＵＣＣＨ構造の集合において１つのＰＵＣＣＨ構造を定義し、または、
前記シンボルの数Ａの値がＸ１〜Ｘ２、Ｘ３〜Ｘ４である場合、Ｘ１〜Ｘ２、Ｘ３〜Ｘ４のシンボルの各数Ａについて、前記ＰＵＣＣＨ構造の集合において少なくとも２つのＰＵＣＣＨ構造を定義し、前記シンボルの数Ａの値が（Ｘ２＋１）〜（Ｘ３−１）である場合、（Ｘ２＋１）〜（Ｘ３−１）のシンボルの各数Ａについて、前記ＰＵＣＣＨ構造の集合において１つのＰＵＣＣＨ構造を定義し、または、
前記ＰＵＣＣＨによってサポートされるシンボルの各数Ａの値について、前記ＰＵＣＣＨ構造の集合において少なくとも２つのＰＵＣＣＨ構造を定義し、または、
前記ＰＵＣＣＨによってサポートされるシンボルの各数Ａの値について、前記ＰＵＣＣＨ構造の集合において１つのＰＵＣＣＨ構造を定義し、
ここで、Ｘ１、Ｘ２、Ｘ３、Ｘ４は正の整数であり、Ｘ１<Ｘ２<Ｘ３<Ｘ４である。
【００４２】
可能な一実施では、前記ＰＵＣＣＨ送信に対して周波数ホッピングが実行されると決定した場合、前記ＰＵＣＣＨ構造の集合から、前記ＰＵＣＣＨに対応するＰＵＣＣＨ構造を決定し、制御送受信機前記に対応するＰＵＣＣＨ構造に基づいてＰＵＣＣＨ送信を実行する場合、
制御送受信機前記ＰＵＣＣＨに含まれる最初の
【数９】
2020530717.tif 000011
個のシンボルを第１のシンボルグループとして、前記ＰＵＣＣＨに含まれる最後の
【数１０】
2020530717.tif 000012
個のシンボルを第２のシンボルグループとして、異なる周波数領域位置で前記第１のシンボルグループによって運ばれる情報、前記第２のシンボルグループによって運ばれる情報を送信し、または、
制御送受信機前記ＰＵＣＣＨに含まれる最初の
【数１１】
2020530717.tif 000013
個のシンボルを第１のシンボルグループとして、前記ＰＵＣＣＨに含まれる最後の
【数１２】
2020530717.tif 000014
個のシンボルを第２のシンボルグループとして、異なる周波数領域位置で前記第１のシンボルグループによって運ばれる情報、前記第２のシンボルグループによって運ばれる情報を送信する。
【００４３】
可能な一実施では、Ａが４の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUU，UURU，RUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRU，RURU，RUUR，URUR、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUU，UURU，RUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表す。
【００４４】
可能な一実施では、Ａが５の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、UURUU，URUUU，RUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRUU，UURRU，RUURU，RURUU，URURU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、UURUU，URUUU，RUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表す。
【００４５】
可能な一実施では、Ａが６の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUU，UURUUU，UUURUU，RUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URURUU，URUURU，RUUUUR，URUUUR，RUUURU，UURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表す。
【００４６】
可能な一実施では、Ａが７の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUUU，UURUUUU，UUURUUU，RUUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表す。
【００４７】
可能な一実施では、Ａが８の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表す。
【００４８】
可能な一実施では、Ａが９の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【００４９】
可能な一実施では、Ａが１０の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表す。
【００５０】
可能な一実施では、Ａが１１の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表す。
【００５１】
可能な一実施では、Ａが１２の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表す。
【００５２】
可能な一実施では、Ａが１３の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
ここで、ＰＵＣＣＨ構造では、ＵはＵＣＩの送信に使用されるシンボルビットを表し、ＲはＲＳの送信に使用されるシンボルビットを表す。
【００５３】
可能な一実施では、Ａが１４の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【００５４】
第４の態様において、本出願の実施形態に係るたの装置は、プロセッサと、プロセッサに接続されたメモリと、送受信機とを備え、前記プロセッサは、メモリに格納されたプログラムを読み取り、次のプロセスを実行するように構成され、
ＰＵＣＣＨによって占有されるシンボルの数Ａを決定し、Ａは正の整数であり、
前記シンボルの数Ａに対応して構成されるＰＵＣＣＨ構造の集合を決定し、前記ＰＵＣＣＨ構造の集合に含まれるＰＵＣＣＨ構造はＡ個のシンボルビットを含み、前記ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であり、
前記ＰＵＣＣＨ構造の集合から、前記ＰＵＣＣＨに対応するＰＵＣＣＨ構造を決定し、制御送受信機前記に対応するＰＵＣＣＨ構造に基づいてＰＵＣＣＨ受信を実行する。
【００５５】
可能な一実施では、前記ＰＵＣＣＨ構造の集合が１つのＰＵＣＣＨ構造を含む場合、前記ＰＵＣＣＨ構造の集合から、前記ＰＵＣＣＨに対応するＰＵＣＣＨ構造を決定することは、前記ＰＵＣＣＨ構造の集合に含まれる１つのＰＵＣＣＨ構造を対応するＰＵＣＣＨ構造とすることを含み、または、
前記ＰＵＣＣＨ構造の集合が複数のＰＵＣＣＨ構造を含む場合、前記ＰＵＣＣＨ構造の集合から、前記ＰＵＣＣＨに対応するＰＵＣＣＨ構造を決定する場合、
前記ＰＵＣＣＨ構造の集合から対応するＰＵＣＣＨ構造として１つのＰＵＣＣＨ構造を選択し、選択結果を構成命令を通じて端末に通知するように送受信機を制御し、および/または、
前記ＰＵＣＣＨ送信に対して周波数ホッピングが実行されると決定した場合、前記ＰＵＣＣＨ構造の集合から、対応するＰＵＣＣＨ構造として、ＲＳの送信に使用されるシンボルビットが最大であるＰＵＣＣＨ構造を選択し、構成命令を通じて周波数ホッピングの要求を端末に通知するように送受信機を制御する。
【００５６】
可能な一実施では、前記ＰＵＣＣＨ構造の集合は１つ以上のＰＵＣＣＨ構造を含む場合、
前記シンボルの数Ａの値がＸ１〜Ｘ２である場合、Ｘ１〜Ｘ２のシンボルの各数Ａについて、前記ＰＵＣＣＨ構造の集合において少なくとも２つのＰＵＣＣＨ構造を定義し、前記シンボルの数Ａの値が（Ｘ２＋１）〜Ｘ４である場合、（Ｘ２＋１）〜Ｘ４のシンボルの各数Ａについて、前記ＰＵＣＣＨ構造の集合において１つのＰＵＣＣＨ構造を定義し、または、
前記シンボルの数Ａの値がＸ１〜Ｘ２、Ｘ３〜Ｘ４である場合、Ｘ１〜Ｘ２、Ｘ３〜Ｘ４のシンボルの各数Ａについて、前記ＰＵＣＣＨ構造の集合において少なくとも２つのＰＵＣＣＨ構造を定義し、前記シンボルの数Ａの値が（Ｘ２＋１）〜（Ｘ３−１）である場合、（Ｘ２＋１）〜（Ｘ３−１）のシンボルの各数Ａについて、前記ＰＵＣＣＨ構造の集合において１つのＰＵＣＣＨ構造を定義し、または、
前記ＰＵＣＣＨによってサポートされるシンボルの各数Ａの値について、前記ＰＵＣＣＨ構造の集合において少なくとも２つのＰＵＣＣＨ構造を定義し、または、
前記ＰＵＣＣＨによってサポートされるシンボルの各数Ａの値について、前記ＰＵＣＣＨ構造の集合において１つのＰＵＣＣＨ構造を定義し、
ここで、Ｘ１、Ｘ２、Ｘ３、Ｘ４は正の整数であり、Ｘ１<Ｘ２<Ｘ３<Ｘ４である。
【００５７】
可能な一実施では、前記ＰＵＣＣＨ送信に対して周波数ホッピングが実行されると決定した場合、前記ＰＵＣＣＨ構造の集合から、前記ＰＵＣＣＨに対応するＰＵＣＣＨ構造を決定し、制御送受信機前記に対応するＰＵＣＣＨ構造に基づいてＰＵＣＣＨ受信を実行する場合、
制御送受信機前記ＰＵＣＣＨに含まれる最初の
【数１３】
2020530717.tif 000015
個のシンボルを第１のシンボルグループとして、前記ＰＵＣＣＨに含まれる最後の
【数１４】
2020530717.tif 000016
個のシンボルを第２のシンボルグループとして、異なる周波数領域位置で前記第１のシンボルグループによって運ばれる情報と、前記第２のシンボルグループによって運ばれる情報を受信し、または、
制御送受信機前記ＰＵＣＣＨに含まれる最初の
【数１５】
2020530717.tif 000017
個のシンボルを第１のシンボルグループとして、前記ＰＵＣＣＨに含まれる最後の
【数１６】
2020530717.tif 000018
個のシンボルを第２のシンボルグループとして、異なる周波数領域位置で前記第１のシンボルグループによって運ばれる情報と、前記第２のシンボルグループによって運ばれる情報を受信する。
【００５８】
可能な一実施では、Ａが４の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUU，UURU，RUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRU，RURU，RUUR，URUR、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUU，UURU，RUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表す。
【００５９】
可能な一実施では、Ａが５の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、UURUU，URUUU，RUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRUU，UURRU，RUURU，RURUU，URURU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、UURUU，URUUU，RUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表す。
【００６０】
可能な一実施では、Ａが６の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUU，UURUUU，UUURUU，RUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URURUU，URUURU，RUUUUR，URUUUR，RUUURU，UURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表す。
【００６１】
可能な一実施では、Ａが７の場合：
前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUUU，UURUUUU，UUURUUU，RUUUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、または、
前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表す。
【００６２】
可能な一実施では、Ａが８の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表す。
【００６３】
可能な一実施では、Ａが９の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【００６４】
可能な一実施では、Ａが１０の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表す。
【００６５】
可能な一実施では、Ａが１１の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表す。
【００６６】
可能な一実施では、Ａが１２の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表す。
【００６７】
可能な一実施では、Ａが１３の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
ここで、ＰＵＣＣＨ構造では、ＵはＵＣＩの送信に使用されるシンボルビットを表し、ＲはＲＳの送信に使用されるシンボルビットを表す。
【００６８】
可能な一実施では、Ａが１４の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，：URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【００６９】
第５の態様において、コンピュータ実行可能命令がコンピュータ可読記憶媒体に格納され、第１の態様または第２の態様のいずれか１つの前記方法をコンピュータに実行させるために使用されるコンピュータ記憶媒体が提供される。
【発明の効果】
【００７０】
本出願の実施中に、最初に、送信を必要とするＰＵＣＣＨによって占有されるシンボルの数Ａが決定され、次に、シンボルの数Ａに従って対応するＰＵＣＣＨ構造の集合を決定し、ＰＵＣＣＨ構造の集合からＰＵＣＣＨに対応するＰＵＣＣＨ構造を決定し、ＰＵＣＣＨ送信は、ＰＵＣＣＨに対応するＰＵＣＣＨ構造に基づいて実行される。
【００７１】
ＰＵＣＣＨ構造の集合はシンボルの数に対応し、ＰＵＣＣＨ構造のいずれか１つはシンボルビットを含み、その数はシンボルの数と同じであり、したがって、本出願の実施形態に係るＰＵＣＣＨ送信方法は、ＰＵＣＣＨによって占有されるシンボルの固定されていない数に対する需要を満たすことができ、新しい無線通信システムにおけるＰＵＣＣＨ送信をサポートすることができる。
【００７２】
さらに、本出願の実施形態では、ＰＵＣＣＨ構造の集合を決定した後にＰＵＣＣＨ構造の集合からＰＵＣＣＨ構造を決定することにより、リソースシンボルの数が複数のＰＵＣＣＨ構造に対応する場合に、ＰＵＣＣＨ送信が依然として正常に実行できることが保証される。
【００７３】
さらに、ＰＵＣＣＨ構造の集合内の異なるＰＵＣＣＨ構造に関するシンボルビット分配規則および／またはＲＳの送信に使用されるシンボルビットの数は異なり、したがって、本出願の実施形態に係るＰＵＣＣＨ送信方法は、周波数ホッピング有無、さまざまな移動速度などのシーンでの異なるＰＵＣＣＨ送信要求を、サポートすることができる。
【図面の簡単な説明】
【００７４】
本発明に係る実施例や従来の技術方案をより明確に説明するために、以下に実施例を説明するために必要な図面について簡単に紹介する。無論、以下の説明における図面は本発明に係る実施例の一部であり、当業者は、創造性作業を行わないことを前提として、これらの図面に基づいて他の図面を得ることができる。
【００７５】
【図１】本出願の実施形態に係るＰＵＣＣＨ送信方法のフロー図である。
【図２】本出願の実施形態に係る他のＰＵＣＣＨ送信方法のフロー図である。
【図３】本出願の実施形態に係るユーザー機器の構造ブロック図である。
【図４】本出願の実施形態に係る装置の構造ブロック図である。
【図５】本出願の実施形態に係るユーザー機器の概略構造図である。
【図６】本出願の実施形態に係る装置の概略構造図である。
【発明を実施するための形態】
【００７６】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００７７】
創造的な仕事なしに本出願の実施形態に基づいて当業者によって得られる他のすべての実施形態は、本出願の保護範囲内にあるものとする。本願の実施形態および実施形態における特徴は、矛盾が存在しないという条件下で任意に組み合わせることができる。さらに、フロー図には論理順序が示されているが、示されているまたは説明されているステップは、いくつかの条件下で本明細書に示されている順序とは異なる順序で実行することができる。
【００７８】
さらに、本明細書で使用される「および／または」項目は、関連オブジェクトを記述するための関連関係のみを表し、３つの関係を指す場合がある。例えば、Ａおよび／またはＢはＡが単独で存在する状況を表すことができる、ＡおよびＢ同時に存在し、Ｂは単独で存在する。加えて、特に明記しない限り、本明細書で使用される文字「/」は、一般に、前および後ろの関連オブジェクトが「または」関係にあることを示す。
【００７９】
上記の技術スキームのより良い理解のために、上記の技術スキームを、本明細書の添付図面および特定の実施態様と併せて以下で詳細に説明する。
【００８０】
最初に、本出願の応用シナリオが紹介される。
【００８１】
異なるベースバンドパラメーター（サブキャリア間隔などのパラメーターを含むｎｕｍｅｒｏｌｏｇｙ）をサポートする新しいフレーム構造は、新しい無線通信システムで定義される。異なるベースバンドパラメーターの場合、１つのサブフレームの長さは常に１ミリ秒に定義される。１つのサブフレームには異なるベースバンドパラメーターに対応するＡ個のスロットが含まれ、１つのサブフレームの長さが１ミリ秒異なることを満たすために、Ａの数が異なる可能性もある。ベースバンドパラメーターの場合、１つのスロットに７または１４のシンボル（ＯＦＤＭ（直交周波数分割多重）などのシンボル）またはＤＦＴ−Ｓ−ＯＦＤＭ（離散フーリエ変換-拡散-ＯＦＤＭ）を含めることができる。１つのスロットにはさまざまなスロット構造/フォーマットがあり、異なる構造/フォーマットは異なるアップリンクとダウンリンクのリソース分割に対応する。たとえば、１つのスロット内の複数のシンボルすべてをダウンリンク送信に使用できる。つまり、DLのみのスロット（ＤＬ ｏｎｌｙ ｓｌｏｔ）もある。または、１つのスロット内の複数のシンボルすべてをアップリンク送信に使用できる。つまり、すなわちＵＬ ｏｎｌｙ ｓｌｏｔである。または、アップリンク送信に部分的に使用され、ダウンリンク送信に部分的に使用され、すなわちDL ＋ ULスロットであることを。端末は、スロット構造に対する動的な変更が実現されるように、RRCシグナリングまたはグループ共通シグナリング（Ｇｒｏｕｐ Ｃｏｍｍｏｎ ＰＤＣＣＨ）によって半静的にスロット構造/フォーマットを通知される場合がある。
【００８２】
１つのスロットに含まれるアップリンクシンボルの数を変更することができ、したがって、２つのＮＲ−ＰＵＣＣＨ、すなわち長いＮＲ−ＰＵＣＣＨ（物理アップリンク制御チャネル）および短いＮＲ−ＰＵＣＣＨが５Ｇ ＮＲシステムで定義される。ここで、長いＮＲ−ＰＵＣＣＨは１つのスロットで４〜１４個のシンボルを占有することによって送信でき、アップリンク制御情報（ＵＣＩ）と参照信号（ＲＳ）は時分割多重化（ＴＤＭ）方法、つまりＵＣＩとＲＳそれぞれ異なるシンボルを占有して送信される。アップリンク伝送パフォーマンスを改善し、周波数領域ダイバーシティゲインを取得するために、長いＮＲ−ＰＵＣＣＨが占める複数のシンボルで周波数ホッピング構造を使用できる。もちろん、周波数ホッピング構造がなくても、ユーザーの多重化容量を増やすことができる。
【００８３】
本出願の実施形態の中核概念は、長いＰＵＣＣＨによってサポートされる複数の送信長のそれぞれまたは一部に対して少なくとも２つのＵＣＩおよびＲＳ構造が定義されることにあり、ここで、異なるＵＣＩのＲＳシンボルの数およびＲＳ構造が異なるか、長いＰＵＣＣＨでサポートされている複数の送信長のそれぞれに対して１つのＵＣＩとＲＳ構造のみが定義されている。
【００８４】
上記の技術スキームをよりよく理解するために、上記の技術スキームを、本明細書の添付の図面および特定の実施態様と併せて以下で詳細に説明する。
【００８５】
以下の実施形態は同じ発明概念に基づいており、他の実施形態に記録された内容は、実施形態の１つの内容が理解または説明されるときに参照できることに留意されたい。
【００８６】
第１の実施形態
図１を参照すると、本願の実施形態により、ユーザー機器（ＵＥ）から基地局へのＰＵＣＣＨ送信など、機器間でＰＵＣＣＨ送信を実行するために使用できるＰＵＣＣＨ送信方法が提供される。ＵＥは、パーソナルコンピュータ（ＰＣ）、ノートブックコンピュータ、携帯電話、モノのインターネット機器、ウェアラブル機器などであり得、特定のタイプのＵＥは、本出願の実施形態に限定されない。
【００８７】
本願の実施形態におけるＰＵＣＣＨ送信方法のプロセスは、以下のように説明される。
【００８８】
ステップ１０１：ＰＵＣＣＨによって占有されるシンボルの数Ａを決定する。ここで、Ａは正の整数である。
【００８９】
ステップ１０２：前記シンボルの数Ａに対応して構成されるＰＵＣＣＨ構造の集合を決定し、前記ＰＵＣＣＨ構造の集合に含まれるＰＵＣＣＨ構造はＡ個のシンボルビットを含み、前記ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則である。
【００９０】
ステップ１０３：前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ送信を実行する。
【００９１】
１つの可能な実施において、ＰＵＣＣＨ構造の集合が１つのＰＵＣＣＨ構造を含む場合、ＰＵＣＣＨ構造の集合からＰＵＣＣＨに対応するＰＵＣＣＨ構造を決定する場合、ＰＵＣＣＨ構造の集合に含まれる１つのＰＵＣＣＨ構造を対応するＰＵＣＣＨ構造としてとみなされ、または、
ＰＵＣＣＨ構造の集合が複数のＰＵＣＣＨ構造を含む場合、ＰＵＣＣＨ構造の集合からＰＵＣＣＨに対応するＰＵＣＣＨ構造を決定する場合、
取得された構成命令に従ってＰＵＣＣＨ構造の集合から対応するＰＵＣＣＨ構造として１つのＰＵＣＣＨ構造が選択され、および/または、
ＰＵＣＣＨ送信に対して周波数ホッピングが実行されると決定されるとき、対応するＰＵＣＣＨ構造として、ＰＵＣＣＨ構造の集合から、ＲＳの送信に使用されるシンボルビットが最大であるＰＵＣＣＨ構造を選択する。
【００９２】
１つの可能な実施において、ＰＵＣＣＨ構造の集合は１つ以上のＰＵＣＣＨ構造を含む場合、
シンボルの数Ａの値がＸ１〜Ｘ２である場合、Ｘ１〜Ｘ２のシンボルの各数Ａについて、ＰＵＣＣＨ構造の集合において、少なくとも２つのＰＵＣＣＨ構造が定義される。シンボルの数Ａの値が（Ｘ２＋１）〜Ｘ４である場合、（Ｘ２＋１）〜Ｘ４のシンボルの各数Ａについて、ＰＵＣＣＨ構造の集合において１つのＰＵＣＣＨ構造が定義される。または、
シンボルの数Ａの値がＸ１〜Ｘ２、Ｘ３〜Ｘ４である場合、Ｘ１〜Ｘ２、Ｘ３〜Ｘ４のシンボルの各数Ａについて、ＰＵＣＣＨ構造の集合において、少なくとも２つのＰＵＣＣＨ構造が定義される。シンボルの数Ａの値が（Ｘ２＋１）〜（Ｘ３−１）である場合、（Ｘ２＋１）〜（Ｘ３−１）のシンボルの各数Ａについて、ＰＵＣＣＨ構造の集合において１つのＰＵＣＣＨ構造が定義される。または、
ＰＵＣＣＨによってサポートされるシンボルの各数Ａの値について、ＰＵＣＣＨ構造の集合において少なくとも２つのＰＵＣＣＨ構造が定義される。または、
ＰＵＣＣＨによってサポートされるシンボルの各数Ａの値について、ＰＵＣＣＨ構造の集合において１つのＰＵＣＣＨ構造が定義される。
【００９３】
ここで、Ｘ１、Ｘ２、Ｘ３、Ｘ４は正の整数であり、Ｘ１<Ｘ２<Ｘ３<Ｘ４である。
【００９４】
１つの可能な実施において、少なくとも２つのＵＣＩおよびＲＳ構造が定義されるとき、第１の構造はＹ１個のパイロットシンボルを含み、第２の構造はＹ２個のパイロットシンボルを含み、ここで、Y１<Y２である。たとえば、Y１=１、Y２=２など、もちろん他の値は除外されない。ＵＣＩおよびＲＳ構造が１つだけ定義されている場合、Y３個のパイロットシンボルを含み、１<Ｙ３ <{（切り上げ（送信長/ Ｘ））、Ｘは２、３または４で、送信長が異なる場合Ｙ３は同じでも異なっていてもかまわない。たとえば、Ｙ３は、送信長が（Ｘ２＋１）〜Ｘ４シンボルのＰＵＣＣＨに対して４に定義される。または、Ｙ３は、送信長が（Ｘ２＋１）〜Ｘ４であるＰＵＣＣＨの送信長の一部に対して３に等しいと定義される。または、Ｙ３は、送信長が（Ｘ２＋１）〜Ｘ４シンボルであるＰＵＣＣＨの送信長の一部に対して４に等しくなるように定義され、Ｙ３は送信長の一部に対して５に等しくなるように定義される。
【００９５】
１つの可能な実施において、ＰＵＣＣＨ送信に対して周波数ホッピングが実行されると決定されるとき、ＰＵＣＣＨ構造の集合からＰＵＣＣＨに対応するＰＵＣＣＨ構造を決定し、対応するＰＵＣＣＨ構造に基づいてＰＵＣＣＨ送信を実行する場合、
ＰＵＣＣＨに含まれる最初の
【数１７】
2020530717.tif 000019
個のシンボルを第１のシンボルグループとして、ＰＵＣＣＨに含まれる最後の
【数１８】
2020530717.tif 000020
個のシンボルを第２のシンボルグループとして、異なる周波数領域位置で第１のシンボルグループによって運ばれる情報、第２のシンボルグループによって運ばれる情報を送信し、または、
ＰＵＣＣＨに含まれる最初の
【数１９】
2020530717.tif 000021
個のシンボルを第１のシンボルグループとして、ＰＵＣＣＨに含まれる最後の
【数２０】
2020530717.tif 000022
個のシンボルを第２のシンボルグループとして、異なる周波数領域位置で第１のシンボルグループによって運ばれる情報、第２のシンボルグループによって運ばれる情報を送信する。
【００９６】
１つの可能な実施において、端末は、構成シグナリングに従って、ＰＵＣＣＨ送信中に周波数ホッピングが実行されるかどうかを判断する。他の可能な実施では、端末は、事前定義に従ってＰＵＣＣＨ送信中に周波数ホッピングが実行されるかどうかを判断する。たとえば、１つまたは複数のＰＵＣＣＨ構造または送信長に対して常に周波数ホッピングが使用されることが事前に定義されている。１つまたは複数のＰＵＣＣＨ構造または送信長に対して常に周波数ホッピングが使用されないことが事前に定義されている。または、ＰＵＣＣＨ構造または送信長のいずれか１つに対して常に周波数ホッピングが使用されるか、使用しないことが事前に定義されている。
【００９７】
本出願の実施形態では、シンボルグループは少なくとも１つのシンボルを含み、時間領域リソースを表すために使用され、各シンボルビットは時分割により区分され、一方、時間領域リソースが決定された後、ＰＵＣＣＨ送信中に周波数ホッピングが必要であると決定されるとき、異なるシンボルグループは、時分割の前提で、異なるシンボルグループによって運ばれるリソースを異なる周波数領域で送信できる。
【００９８】
１つの可能な実施において、ＰＵＣＣＨによって占有されるシンボルの数Ａが４の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUU，UURU，RUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URRU，RURU，RUUR，URUR、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUU，UURU，RUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表す。
【００９９】
１つの可能な実施において、ＰＵＣＣＨによって占有されるシンボルの数Ａが５の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、UURUU，URUUU，RUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URRUU，UURRU，RUURU，RURUU，URURU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、UURUU，URUUU，RUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表す。
【０１００】
１つの可能な実施において、ＰＵＣＣＨによって占有されるシンボルの数Ａが６の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUUUU，UURUUU，UUURUU，RUUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URURUU，URUURU，RUUUUR，URUUUR，RUUURU，UURRUU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表す。
【０１０１】
１つの可能な実施において、ＰＵＣＣＨによって占有されるシンボルの数Ａが７の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUUUUU，UURUUUU，UUURUUU，RUUUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、RUUUUUR，URUUUUR，RUUUURU，URUUURU，URUURUU，UURURUU，UURRUUU，UUURRUU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表す。
【０１０２】
１つの可能な実施において、ＰＵＣＣＨによって占有されるシンボルの数Ａが８の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URUUUURU，URUUURUU，RUUUUUUR，RUUUUURU，RUUUURUU，RUUURUUU，UUURRUUU，UURUURUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表す。
【０１０３】
１つの可能な実施において、ＰＵＣＣＨによって占有されるシンボルの数Ａが９の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【０１０４】
１つの可能な実施において、ＰＵＣＣＨによって占有されるシンボルの数Ａが１０の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表す。
【０１０５】
１つの可能な実施において、ＰＵＣＣＨによって占有されるシンボルの数Ａが１１の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表す。
【０１０６】
１つの可能な実施において、ＰＵＣＣＨによって占有されるシンボルの数Ａが１２の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表す。
【０１０７】
１つの可能な実施において、ＰＵＣＣＨによって占有されるシンボルの数Ａが１３の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
ここで、ＰＵＣＣＨ構造では、ＵはＵＣＩの送信に使用されるシンボルビットを表し、ＲはＲＳの送信に使用されるシンボルビットを表す。
【０１０８】
１つの可能な実施において、ＰＵＣＣＨによって占有されるシンボルの数Ａが１４の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【０１０９】
第２の実施形態
図２を参照すると、第１の実施形態と同じ発明概念に基づいて、本出願の実施形態によって提供されるのは、以下のステップを含む別のＰＵＣＣＨ送信方法である。
【０１１０】
ステップ２０１：ＰＵＣＣＨによって占有されるシンボルの数Ａを決定する。ここで、Ａは正の整数である。
【０１１１】
ステップ２０２：シンボルの数Ａに対応して構成されるＰＵＣＣＨ構造の集合が決定され、ＰＵＣＣＨ構造の集合に含まれるＰＵＣＣＨ構造はＡ個のシンボルビットを含み、ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則である。
【０１１２】
ステップ２０３：ＰＵＣＣＨ構造の集合からＰＵＣＣＨに対応するＰＵＣＣＨ構造を決定し、対応するＰＵＣＣＨ構造に基づいてＰＵＣＣＨ受信を実行する。
【０１１３】
１つの可能な実施において、ＰＵＣＣＨ構造の集合が１つのＰＵＣＣＨ構造を含む場合、ＰＵＣＣＨ構造の集合からＰＵＣＣＨに対応するＰＵＣＣＨ構造を決定する場合、ＰＵＣＣＨ構造の集合に含まれる１つのＰＵＣＣＨ構造を対応するＰＵＣＣＨ構造としてとみなされ、または、
ＰＵＣＣＨ構造の集合が複数のＰＵＣＣＨ構造を含む場合、ＰＵＣＣＨ構造の集合からＰＵＣＣＨに対応するＰＵＣＣＨ構造を決定する場合、
対応するＰＵＣＣＨ構造として、ＰＵＣＣＨ構造の集合から１つのＰＵＣＣＨ構造を選択し、構成命令を通じて、選択結果を端末に通知する。および/または、
ＰＵＣＣＨ送信に対して周波数ホッピングが実行されると決定されるとき、対応するＰＵＣＣＨ構造として、ＰＵＣＣＨ構造の集合から、ＲＳの送信に使用されるシンボルビットが最大であるＰＵＣＣＨ構造を選択する，構成命令を通じて周波数ホッピングの要求を端末に通知する。
【０１１４】
１つの可能な実施において、ＰＵＣＣＨ構造の集合は１つ以上のＰＵＣＣＨ構造を含む場合、
シンボルの数Ａの値がＸ１〜Ｘ２である場合、Ｘ１〜Ｘ２のシンボルの各数Ａについて、ＰＵＣＣＨ構造の集合において、少なくとも２つのＰＵＣＣＨ構造が定義される。シンボルの数Ａの値が（Ｘ２＋１）〜Ｘ４である場合、（Ｘ２＋１）〜Ｘ４のシンボルの各数Ａについて、ＰＵＣＣＨ構造の集合において１つのＰＵＣＣＨ構造が定義される。または、
シンボルの数Ａの値がＸ１〜Ｘ２、Ｘ３〜Ｘ４である場合、Ｘ１〜Ｘ２、Ｘ３〜Ｘ４のシンボルの各数Ａについて、ＰＵＣＣＨ構造の集合において、少なくとも２つのＰＵＣＣＨ構造が定義される。シンボルの数Ａの値が（Ｘ２＋１）〜（Ｘ３−１）である場合、（Ｘ２＋１）〜（Ｘ３−１）のシンボルの各数Ａについて、ＰＵＣＣＨ構造の集合において１つのＰＵＣＣＨ構造が定義される。または、
ＰＵＣＣＨによってサポートされるシンボルの各数Ａの値について、ＰＵＣＣＨ構造の集合において少なくとも２つのＰＵＣＣＨ構造が定義される。または、
ＰＵＣＣＨによってサポートされるシンボルの各数Ａの値について、ＰＵＣＣＨ構造の集合において１つのＰＵＣＣＨ構造が定義される。
【０１１５】
ここで、Ｘ１、Ｘ２、Ｘ３、Ｘ４は正の整数であり、Ｘ１<Ｘ２<Ｘ３<Ｘ４である。
【０１１６】
１つの可能な実施において、ＰＵＣＣＨ送信に対して周波数ホッピングが実行されると決定されるとき、ＰＵＣＣＨ構造の集合からＰＵＣＣＨに対応するＰＵＣＣＨ構造を決定し、対応するＰＵＣＣＨ構造に基づいてＰＵＣＣＨ受信を実行する場合、
ＰＵＣＣＨに含まれる最初の
【数２１】
2020530717.tif 000023
個のシンボルを第１のシンボルグループとして、ＰＵＣＣＨに含まれる最後の
【数２２】
2020530717.tif 000024
個のシンボルを第２のシンボルグループとして、異なる周波数領域位置で第１のシンボルグループによって運ばれる情報、第２のシンボルグループによって運ばれる情報を受信する。または、
ＰＵＣＣＨに含まれる最初の
【数２３】
2020530717.tif 000025
個のシンボルを第１のシンボルグループとして、ＰＵＣＣＨに含まれる最後の
【数２４】
2020530717.tif 000026
個のシンボルを第２のシンボルグループとして、異なる周波数領域位置で第１のシンボルグループによって運ばれる情報、第２のシンボルグループによって運ばれる情報を受信する。
【０１１７】
１つの可能な実施において、Ａが４の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUU，UURU，RUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URRU，RURU，RUUR，URUR、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUU，UURU，RUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表す。
【０１１８】
１つの可能な実施において、Ａが５の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、UURUU，URUUU，RUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URRUU，UURRU，RUURU，RURUU，URURU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、UURUU，URUUU，RUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表す。
【０１１９】
１つの可能な実施において、Ａが６の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUUUU，UURUUU，UUURUU，RUUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URURUU，URUURU，RUUUUR，URUUUR，RUUURU，UURRUU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表す。
【０１２０】
１つの可能な実施において、Ａが７の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUUUUU，UURUUUU，UUURUUU，RUUUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、RUUUUUR，URUUUUR，RUUUURU，URUUURU，URUURUU，UURURUU，UURRUUU，UUURRUU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表す。
【０１２１】
１つの可能な実施において、Ａが８の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URUUUURU，URUUURUU，RUUUUUUR，RUUUUURU，RUUUURUU，RUUURUUU，UUURRUUU，UURUURUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表す。
【０１２２】
１つの可能な実施において、Ａが９の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【０１２３】
１つの可能な実施において、Ａが１０の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表す。
【０１２４】
１つの可能な実施において、Ａが１１の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表す。
【０１２５】
１つの可能な実施において、Ａが１２の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表す。
【０１２６】
１つの可能な実施において、Ａが１３の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
ここで、ＰＵＣＣＨ構造では、ＵはＵＣＩの送信に使用されるシンボルビットを表し、ＲはＲＳの送信に使用されるシンボルビットを表す。
【０１２７】
１つの可能な実施において、Ａが１４の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【０１２８】
第３の実施形態
図３を参照すると、本出願の一実施形態により、決定ユニット３０１および送信ユニット３０２を含むユーザー機器が提供され、ここで：
決定ユニット３０１は、ＰＵＣＣＨによって占有されるシンボルの数Ａを決定し、Ａは正の整数であり、シンボルの数Ａに対応して構成されるＰＵＣＣＨ構造の集合が決定され、ＰＵＣＣＨ構造の集合に含まれるＰＵＣＣＨ構造はＡ個のシンボルビットを含み、ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であり、ＰＵＣＣＨ構造の集合からＰＵＣＣＨに対応するＰＵＣＣＨ構造を決定する。
【０１２９】
送信ユニット３０２は、対応するＰＵＣＣＨ構造に基づいてＰＵＣＣＨ送信を実行する。
【０１３０】
可能な一実施では、決定ユニット３０１は、
ＰＵＣＣＨ構造の集合が１つのＰＵＣＣＨ構造を含む場合、ＰＵＣＣＨ構造の集合に含まれる１つのＰＵＣＣＨ構造を対応するＰＵＣＣＨ構造としてとみなされ、または、
ＰＵＣＣＨ構造の集合が複数のＰＵＣＣＨ構造を含む場合、取得された構成命令に従ってＰＵＣＣＨ構造の集合から対応するＰＵＣＣＨ構造として１つのＰＵＣＣＨ構造が選択され、および/または、ＰＵＣＣＨ送信に対して周波数ホッピングが実行されると決定されるとき、対応するＰＵＣＣＨ構造として、ＰＵＣＣＨ構造の集合から、ＲＳの送信に使用されるシンボルビットが最大であるＰＵＣＣＨ構造を選択する。
【０１３１】
可能な一実施では、ＰＵＣＣＨ構造の集合は１つ以上のＰＵＣＣＨ構造を含む場合、
シンボルの数Ａの値がＸ１〜Ｘ２である場合、Ｘ１〜Ｘ２のシンボルの各数Ａについて、ＰＵＣＣＨ構造の集合において、少なくとも２つのＰＵＣＣＨ構造が定義される。シンボルの数Ａの値が（Ｘ２＋１）〜Ｘ４である場合、（Ｘ２＋１）〜Ｘ４のシンボルの各数Ａについて、ＰＵＣＣＨ構造の集合において１つのＰＵＣＣＨ構造が定義される。または、
シンボルの数Ａの値がＸ１〜Ｘ２、Ｘ３〜Ｘ４である場合、Ｘ１〜Ｘ２、Ｘ３〜Ｘ４のシンボルの各数Ａについて、ＰＵＣＣＨ構造の集合において、少なくとも２つのＰＵＣＣＨ構造が定義される。シンボルの数Ａの値が（Ｘ２＋１）〜（Ｘ３−１）である場合、（Ｘ２＋１）〜（Ｘ３−１）のシンボルの各数Ａについて、ＰＵＣＣＨ構造の集合において１つのＰＵＣＣＨ構造が定義される。または、
ＰＵＣＣＨによってサポートされるシンボルの各数Ａの値について、ＰＵＣＣＨ構造の集合において少なくとも２つのＰＵＣＣＨ構造が定義される。または、
ＰＵＣＣＨによってサポートされるシンボルの各数Ａの値について、ＰＵＣＣＨ構造の集合において１つのＰＵＣＣＨ構造が定義される。
【０１３２】
ここで、Ｘ１、Ｘ２、Ｘ３、Ｘ４は正の整数であり、Ｘ１<Ｘ２<Ｘ３<Ｘ４である。
【０１３３】
可能な一実施では、送信ユニット３０２は、
ＰＵＣＣＨ送信に対して周波数ホッピングが実行されると決定されるとき、ＰＵＣＣＨに含まれる最初の
【数２５】
2020530717.tif 000027
個のシンボルを第１のシンボルグループとして、ＰＵＣＣＨに含まれる最後の
【数２６】
2020530717.tif 000028
個のシンボルを第２のシンボルグループとして、異なる周波数領域位置で第１のシンボルグループによって運ばれる情報、第２のシンボルグループによって運ばれる情報を送信し、または、
ＰＵＣＣＨに含まれる最初の
【数２７】
2020530717.tif 000029
個のシンボルを第１のシンボルグループとして、ＰＵＣＣＨに含まれる最後の
【数２８】
2020530717.tif 000030
個のシンボルを第２のシンボルグループとして、異なる周波数領域位置で第１のシンボルグループによって運ばれる情報、第２のシンボルグループによって運ばれる情報を送信する。
【０１３４】
可能な一実施では、Ａが４の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUU，UURU，RUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URRU，RURU，RUUR，URUR、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUU，UURU，RUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表す。
【０１３５】
可能な一実施では、Ａが５の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、UURUU，URUUU，RUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URRUU，UURRU，RUURU，RURUU，URURU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、UURUU，URUUU，RUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表す。
【０１３６】
可能な一実施では、Ａが６の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUUUU，UURUUU，UUURUU，RUUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URURUU，URUURU，RUUUUR，URUUUR，RUUURU，UURRUU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表す。
【０１３７】
可能な一実施では、Ａが７の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUUUUU，UURUUUU，UUURUUU，RUUUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、RUUUUUR，URUUUUR，RUUUURU，URUUURU，URUURUU，UURURUU，UURRUUU，UUURRUU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表す。
【０１３８】
可能な一実施では、Ａが８の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URUUUURU，URUUURUU，RUUUUUUR，RUUUUURU，RUUUURUU，RUUURUUU，UUURRUUU，UURUURUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表す。
【０１３９】
可能な一実施では、Ａが９の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【０１４０】
可能な一実施では、Ａが１０の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表す。
【０１４１】
可能な一実施では、Ａが１１の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表す。
【０１４２】
可能な一実施では、Ａが１２の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表す。
【０１４３】
可能な一実施では、Ａが１３の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
ここで、ＰＵＣＣＨ構造では、ＵはＵＣＩの送信に使用されるシンボルビットを表し、ＲはＲＳの送信に使用されるシンボルビットを表す。
【０１４４】
可能な一実施では、Ａが１４の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【０１４５】
第４の実施形態
図４を参照すると、本出願の一実施形態により、決定ユニット４０１および送受信ユニット４０２を含む装置が提供され、ここで：
決定ユニット４０１は、ＰＵＣＣＨによって占有されるシンボルの数Ａを決定し、Ａは正の整数であり、シンボルの数Ａに対応して構成されるＰＵＣＣＨ構造の集合が決定され、ＰＵＣＣＨ構造の集合に含まれるＰＵＣＣＨ構造はＡ個のシンボルビットを含み、ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であり、ＰＵＣＣＨ構造の集合からＰＵＣＣＨに対応するＰＵＣＣＨ構造を決定する。
【０１４６】
送受信ユニット４０２は、対応するＰＵＣＣＨ構造に基づいてＰＵＣＣＨ受信を実行する。
【０１４７】
１つの可能な実施において、決定ユニット４０１は、
ＰＵＣＣＨ構造の集合が１つのＰＵＣＣＨ構造を含む場合、ＰＵＣＣＨ構造の集合に含まれる１つのＰＵＣＣＨ構造を対応するＰＵＣＣＨ構造としてとみなされ、または、
ＰＵＣＣＨ構造の集合が複数のＰＵＣＣＨ構造を含む場合ＰＵＣＣＨ構造の集合から対応するＰＵＣＣＨ構造として１つのＰＵＣＣＨ構造が選択され、
送受信ユニット４０２は、さらに、構成命令を通じて、選択結果を端末に通知する。
【０１４８】
決定ユニット４０１は、ＰＵＣＣＨ送信に対して周波数ホッピングが実行されると決定されるとき、対応するＰＵＣＣＨ構造として、ＰＵＣＣＨ構造の集合から、ＲＳの送信に使用されるシンボルビットが最大であるＰＵＣＣＨ構造を選択する。
【０１４９】
送受信ユニット４０２は、さらに、構成命令を通じて、を通じて周波数ホッピングの要求を端末に通知する。
【０１５０】
１つの可能な実施において、ＰＵＣＣＨ構造の集合は１つ以上のＰＵＣＣＨ構造を含む場合、
シンボルの数Ａの値がＸ１〜Ｘ２である場合、Ｘ１〜Ｘ２のシンボルの各数Ａについて、ＰＵＣＣＨ構造の集合において、少なくとも２つのＰＵＣＣＨ構造が定義される。シンボルの数Ａの値が（Ｘ２＋１）〜Ｘ４である場合、（Ｘ２＋１）〜Ｘ４のシンボルの各数Ａについて、ＰＵＣＣＨ構造の集合において１つのＰＵＣＣＨ構造が定義される。または、
シンボルの数Ａの値がＸ１〜Ｘ２、Ｘ３〜Ｘ４である場合、Ｘ１〜Ｘ２、Ｘ３〜Ｘ４のシンボルの各数Ａについて、ＰＵＣＣＨ構造の集合において、少なくとも２つのＰＵＣＣＨ構造が定義される。シンボルの数Ａの値が（Ｘ２＋１）〜（Ｘ３−１）である場合、（Ｘ２＋１）〜（Ｘ３−１）のシンボルの各数Ａについて、ＰＵＣＣＨ構造の集合において１つのＰＵＣＣＨ構造が定義される。または、
ＰＵＣＣＨによってサポートされるシンボルの各数Ａの値について、ＰＵＣＣＨ構造の集合において少なくとも２つのＰＵＣＣＨ構造が定義される。または、
ＰＵＣＣＨによってサポートされるシンボルの各数Ａの値について、ＰＵＣＣＨ構造の集合において１つのＰＵＣＣＨ構造が定義される。
【０１５１】
ここで、Ｘ１、Ｘ２、Ｘ３、Ｘ４は正の整数であり、Ｘ１<Ｘ２<Ｘ３<Ｘ４である。
【０１５２】
１つの可能な実施において、送受信ユニット４０２は、
ＰＵＣＣＨ送信に対して周波数ホッピングが実行されると決定されるとき、ＰＵＣＣＨに含まれる最初の
【数２９】
2020530717.tif 000031
個のシンボルを第１のシンボルグループとして、ＰＵＣＣＨに含まれる最後の
【数３０】
2020530717.tif 000032
個のシンボルを第２のシンボルグループとして、異なる周波数領域位置で第１のシンボルグループによって運ばれる情報、第２のシンボルグループによって運ばれる情報を受信する。または、
ＰＵＣＣＨに含まれる最初の
【数３１】
2020530717.tif 000033
個のシンボルを第１のシンボルグループとして、ＰＵＣＣＨに含まれる最後の
【数３２】
2020530717.tif 000034
個のシンボルを第２のシンボルグループとして、異なる周波数領域位置で第１のシンボルグループによって運ばれる情報、第２のシンボルグループによって運ばれる情報を受信する。
【０１５３】
１つの可能な実施において、Ａが４の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUU，UURU，RUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URRU，RURU，RUUR，URUR、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUU，UURU，RUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表す。
【０１５４】
１つの可能な実施において、Ａが５の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、UURUU，URUUU，RUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URRUU，UURRU，RUURU，RURUU，URURU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、UURUU，URUUU，RUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表す。
【０１５５】
１つの可能な実施において、Ａが６の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUUUU，UURUUU，UUURUU，RUUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URURUU，URUURU，RUUUUR，URUUUR，RUUURU，UURRUU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表す。
【０１５６】
１つの可能な実施において、Ａが７の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUUUUU，UURUUUU，UUURUUU，RUUUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、RUUUUUR，URUUUUR，RUUUURU，URUUURU，URUURUU，UURURUU，UURRUUU，UUURRUU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表す。
【０１５７】
１つの可能な実施において、Ａが８の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URUUUURU，URUUURUU，RUUUUUUR，RUUUUURU，RUUUURUU，RUUURUUU，UUURRUUU，UURUURUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表す。
【０１５８】
１つの可能な実施において、Ａが９の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【０１５９】
１つの可能な実施において、Ａが１０の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表す。
【０１６０】
１つの可能な実施において、Ａが１１の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表す。
【０１６１】
１つの可能な実施において、Ａが１２の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表す。
【０１６２】
１つの可能な実施において、Ａが１３の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
ここで、ＰＵＣＣＨ構造では、ＵはＵＣＩの送信に使用されるシンボルビットを表し、ＲはＲＳの送信に使用されるシンボルビットを表す。
【０１６３】
１つの可能な実施において、Ａが１４の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【０１６４】
第５の実施形態
図５を参照すると、本願の実施形態により、プロセッサ５０１、ならびにプロセッサ５０１に接続されたメモリ５０２および送受信機５０３を備える別のユーザー機器が提供される。プロセッサ５０１は、メモリ５０２内のプログラムを読み取り、次のプロセスを実行するように構成される。
【０１６５】
ここで、図５おいて、バスアーキテクチャは、いずれ数の相互接続するバス及びブリッジを備える。具体的に、プロセッサ５０１が代表となる１つまたは複数のプロセッサ及びメモリ５０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５０３は、複数の部品であることができ、即ち、送信機及び受信機を備え、伝送媒体を介して他の装置と通信するユニットを提供する。異なるユーザー設備に対し、ユーザーインターフェース５０４は、外部接続または内部接続に必要な設備のインターフェースであることもできる。接続する設備は、キーパッド、ディスプレー、スピーカー、マイクロホン、ジョイスティック等を備えるが、これに限られない。
【０１６６】
プロセッサ５０１は、バスアーキテクチャ及び通常の処理を管理し、メモリ５０２は、プロセッサ５０１が動作する際に利用するデータを記憶することができる。
【０１６７】
プロセッサ５０１は、メモリ５０２内のプログラムを読み取り、次のプロセスを実行するように構成され、
ＰＵＣＣＨによって占有されるシンボルの数Ａを決定し、Ａは正の整数であり、
シンボルの数Ａに対応して構成されるＰＵＣＣＨ構造の集合が決定され、ＰＵＣＣＨ構造の集合に含まれるＰＵＣＣＨ構造はＡ個のシンボルビットを含み、ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であり、
ＰＵＣＣＨ構造の集合からＰＵＣＣＨに対応するＰＵＣＣＨ構造を決定し、送受信機５０３により、対応するＰＵＣＣＨ構造に基づいてＰＵＣＣＨ送信を実行する。
【０１６８】
１つの可能な実施において、ＰＵＣＣＨ構造の集合が１つのＰＵＣＣＨ構造を含む場合、ＰＵＣＣＨ構造の集合からＰＵＣＣＨに対応するＰＵＣＣＨ構造を決定する場合、ＰＵＣＣＨ構造の集合に含まれる１つのＰＵＣＣＨ構造を対応するＰＵＣＣＨ構造としてとみなされ、または、
ＰＵＣＣＨ構造の集合が複数のＰＵＣＣＨ構造を含む場合、ＰＵＣＣＨ構造の集合からＰＵＣＣＨに対応するＰＵＣＣＨ構造を決定する場合、
取得された構成命令に従ってＰＵＣＣＨ構造の集合から対応するＰＵＣＣＨ構造として１つのＰＵＣＣＨ構造が選択され、および/または、
ＰＵＣＣＨ送信に対して周波数ホッピングが実行されると決定されるとき、対応するＰＵＣＣＨ構造として、ＰＵＣＣＨ構造の集合から、ＲＳの送信に使用されるシンボルビットが最大であるＰＵＣＣＨ構造を選択する。
【０１６９】
１つの可能な実施において、ＰＵＣＣＨ構造の集合は１つ以上のＰＵＣＣＨ構造を含む場合、
シンボルの数Ａの値がＸ１〜Ｘ２である場合、Ｘ１〜Ｘ２のシンボルの各数Ａについて、ＰＵＣＣＨ構造の集合において、少なくとも２つのＰＵＣＣＨ構造が定義される。シンボルの数Ａの値が（Ｘ２＋１）〜Ｘ４である場合、（Ｘ２＋１）〜Ｘ４のシンボルの各数Ａについて、ＰＵＣＣＨ構造の集合において１つのＰＵＣＣＨ構造が定義される。または、
シンボルの数Ａの値がＸ１〜Ｘ２、Ｘ３〜Ｘ４である場合、Ｘ１〜Ｘ２、Ｘ３〜Ｘ４のシンボルの各数Ａについて、ＰＵＣＣＨ構造の集合において、少なくとも２つのＰＵＣＣＨ構造が定義される。シンボルの数Ａの値が（Ｘ２＋１）〜（Ｘ３−１）である場合、（Ｘ２＋１）〜（Ｘ３−１）のシンボルの各数Ａについて、ＰＵＣＣＨ構造の集合において１つのＰＵＣＣＨ構造が定義される。または、
ＰＵＣＣＨによってサポートされるシンボルの各数Ａの値について、ＰＵＣＣＨ構造の集合において少なくとも２つのＰＵＣＣＨ構造が定義される。または、
ＰＵＣＣＨによってサポートされるシンボルの各数Ａの値について、ＰＵＣＣＨ構造の集合において１つのＰＵＣＣＨ構造が定義される。
【０１７０】
ここで、Ｘ１、Ｘ２、Ｘ３、Ｘ４は正の整数であり、Ｘ１<Ｘ２<Ｘ３<Ｘ４である。
【０１７１】
１つの可能な実施において、ＰＵＣＣＨ送信に対して周波数ホッピングが実行されると決定されるとき、ＰＵＣＣＨ構造の集合からＰＵＣＣＨに対応するＰＵＣＣＨ構造を決定し、送受信機５０３を制御して、対応するＰＵＣＣＨ構造に基づいてＰＵＣＣＨ送信を実行する場合、
送受信機５０３を制御して、ＰＵＣＣＨに含まれる最初の
【数３３】
2020530717.tif 000035
個のシンボルを第１のシンボルグループとして、ＰＵＣＣＨに含まれる最後の
【数３４】
2020530717.tif 000036
個のシンボルを第２のシンボルグループとして、異なる周波数領域位置で第１のシンボルグループによって運ばれる情報、第２のシンボルグループによって運ばれる情報を送信し、または、
送受信機５０３を制御して、ＰＵＣＣＨに含まれる最初の
【数３５】
2020530717.tif 000037
個のシンボルを第１のシンボルグループとして、ＰＵＣＣＨに含まれる最後の
【数３６】
2020530717.tif 000038
個のシンボルを第２のシンボルグループとして、異なる周波数領域位置で第１のシンボルグループによって運ばれる情報、第２のシンボルグループによって運ばれる情報を送信する。
【０１７２】
１つの可能な実施において、Ａが４の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUU，UURU，RUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URRU，RURU，RUUR，URUR、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUU，UURU，RUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表す。
【０１７３】
１つの可能な実施において、Ａが５の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、UURUU，URUUU，RUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URRUU，UURRU，RUURU，RURUU，URURU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、UURUU，URUUU，RUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表す。
【０１７４】
１つの可能な実施において、Ａが６の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUUUU，UURUUU，UUURUU，RUUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URURUU，URUURU，RUUUUR，URUUUR，RUUURU，UURRUU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表す。
【０１７５】
１つの可能な実施において、Ａが７の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUUUUU，UURUUUU，UUURUUU，RUUUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、RUUUUUR，URUUUUR，RUUUURU，URUUURU，URUURUU，UURURUU，UURRUUU，UUURRUU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表す。
【０１７６】
１つの可能な実施において、Ａが８の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URUUUURU，URUUURUU，RUUUUUUR，RUUUUURU，RUUUURUU，RUUURUUU，UUURRUUU，UURUURUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表す。
【０１７７】
１つの可能な実施において、Ａが９の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【０１７８】
１つの可能な実施において、Ａが１０の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表す。
【０１７９】
１つの可能な実施において、Ａが１１の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表す。
【０１８０】
１つの可能な実施において、Ａが１２の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表す。
【０１８１】
１つの可能な実施において、Ａが１３の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
ここで、ＰＵＣＣＨ構造では、ＵはＵＣＩの送信に使用されるシンボルビットを表し、ＲはＲＳの送信に使用されるシンボルビットを表す。
【０１８２】
１つの可能な実施において、Ａが１４の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【０１８３】
第６の実施形態
図６を参照すると、本願の実施形態によって提供されるのは、プロセッサ６０１ならびにプロセッサ６０１に接続されたメモリ６０２および送受信機６０３を備える別の装置である。
【０１８４】
ここで、図６おいて、バスアーキテクチャは、いずれ数の相互接続するバス及びブリッジを備える。具体的に、プロセッサ６０１が代表となる１つまたは複数のプロセッサ及びメモリ６０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６０３は、複数の要素、すなわち送信機および受信機であり得、伝送媒体上の様々な他のデバイスと通信するためのユニットが提供される。プロセッサ６０１は、バスアーキテクチャ及び通常の処理を管理し、メモリ６０２は、プロセッサ６０１が動作する際に利用するデータを記憶することができる。
【０１８５】
プロセッサ６０１は、メモリ６０２に格納されたプログラムを読み取り、次のプロセスを実行するように構成され、
ＰＵＣＣＨによって占有されるシンボルの数Ａを決定し、Ａは正の整数であり、
シンボルの数Ａに対応して構成されるＰＵＣＣＨ構造の集合が決定され、ＰＵＣＣＨ構造の集合に含まれるＰＵＣＣＨ構造はＡ個のシンボルビットを含み、ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であり、
ＰＵＣＣＨ構造の集合からＰＵＣＣＨに対応するＰＵＣＣＨ構造を決定し、送受信機６０３を制御して、対応するＰＵＣＣＨ構造に基づいてＰＵＣＣＨ受信を実行する。
【０１８６】
１つの可能な実施において、ＰＵＣＣＨ構造の集合が１つのＰＵＣＣＨ構造を含む場合、ＰＵＣＣＨ構造の集合からＰＵＣＣＨに対応するＰＵＣＣＨ構造を決定する場合、ＰＵＣＣＨ構造の集合に含まれる１つのＰＵＣＣＨ構造を対応するＰＵＣＣＨ構造としてとみなされ、または、
ＰＵＣＣＨ構造の集合が複数のＰＵＣＣＨ構造を含む場合、ＰＵＣＣＨ構造の集合からＰＵＣＣＨに対応するＰＵＣＣＨ構造を決定する場合、
対応するＰＵＣＣＨ構造として、ＰＵＣＣＨ構造の集合から１つのＰＵＣＣＨ構造を選択し、送受信機６０３を制御して、構成命令を通じて、選択結果を端末に通知する。および/または、
ＰＵＣＣＨ送信に対して周波数ホッピングが実行されると決定されるとき、対応するＰＵＣＣＨ構造として、ＰＵＣＣＨ構造の集合から、ＲＳの送信に使用されるシンボルビットが最大であるＰＵＣＣＨ構造を選択する，送受信機６０３を制御して、構成命令を通じて、を通じて周波数ホッピングの要求を端末に通知する。
【０１８７】
１つの可能な実施において、ＰＵＣＣＨ構造の集合は１つ以上のＰＵＣＣＨ構造を含む場合、
シンボルの数Ａの値がＸ１〜Ｘ２である場合、Ｘ１〜Ｘ２のシンボルの各数Ａについて、ＰＵＣＣＨ構造の集合において、少なくとも２つのＰＵＣＣＨ構造が定義される。シンボルの数Ａの値が（Ｘ２＋１）〜Ｘ４である場合、（Ｘ２＋１）〜Ｘ４のシンボルの各数Ａについて、ＰＵＣＣＨ構造の集合において１つのＰＵＣＣＨ構造が定義される。または、
シンボルの数Ａの値がＸ１〜Ｘ２、Ｘ３〜Ｘ４である場合、Ｘ１〜Ｘ２、Ｘ３〜Ｘ４のシンボルの各数Ａについて、ＰＵＣＣＨ構造の集合において、少なくとも２つのＰＵＣＣＨ構造が定義される。シンボルの数Ａの値が（Ｘ２＋１）〜（Ｘ３−１）である場合、（Ｘ２＋１）〜（Ｘ３−１）のシンボルの各数Ａについて、ＰＵＣＣＨ構造の集合において１つのＰＵＣＣＨ構造が定義される。または、
ＰＵＣＣＨによってサポートされるシンボルの各数Ａの値について、ＰＵＣＣＨ構造の集合において少なくとも２つのＰＵＣＣＨ構造が定義される。または、
ＰＵＣＣＨによってサポートされるシンボルの各数Ａの値について、ＰＵＣＣＨ構造の集合において１つのＰＵＣＣＨ構造が定義される。
【０１８８】
ここで、Ｘ１、Ｘ２、Ｘ３、Ｘ４は正の整数であり、Ｘ１<Ｘ２<Ｘ３<Ｘ４である。
【０１８９】
１つの可能な実施において、ＰＵＣＣＨ送信に対して周波数ホッピングが実行されると決定されるとき、ＰＵＣＣＨ構造の集合からＰＵＣＣＨに対応するＰＵＣＣＨ構造を決定し、送受信機６０３を制御して、対応するＰＵＣＣＨ構造に基づいてＰＵＣＣＨ受信を実行する場合、
送受信機６０３を制御して、ＰＵＣＣＨに含まれる最初の
【数３７】
2020530717.tif 000039
個のシンボルを第１のシンボルグループとして、ＰＵＣＣＨに含まれる最後の
【数３８】
2020530717.tif 000040
個のシンボルを第２のシンボルグループとして、異なる周波数領域位置で第１のシンボルグループによって運ばれる情報、第２のシンボルグループによって運ばれる情報を受信する。または、
送受信機６０３を制御して、ＰＵＣＣＨに含まれる最初の
【数３９】
2020530717.tif 000041
個のシンボルを第１のシンボルグループとして、ＰＵＣＣＨに含まれる最後の
【数４０】
2020530717.tif 000042
個のシンボルを第２のシンボルグループとして、異なる周波数領域位置で第１のシンボルグループによって運ばれる情報、第２のシンボルグループによって運ばれる情報を受信する。
【０１９０】
１つの可能な実施において、Ａが４の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUU，UURU，RUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URRU，RURU，RUUR，URUR、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUU，UURU，RUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URRU，RURU，RUUR，URUR；
ここで、ＰＵＣＣＨ構造では、ＵはＵＣＩの送信に使用されるシンボルビットを表し、ＲはＲＳの送信に使用されるシンボルビットを表す。
【０１９１】
１つの可能な実施において、Ａが５の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、UURUU，URUUU，RUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URRUU，UURRU，RUURU，RURUU，URURU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、UURUU，URUUU，RUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URRUU，UURRU，RUURU，RURUU，URURU、
ここで、ＰＵＣＣＨ構造では、ＵはＵＣＩの送信に使用されるシンボルビットを表し、ＲはＲＳの送信に使用されるシンボルビットを表す。
【０１９２】
１つの可能な実施において、Ａが６の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUUUU，UURUUU，UUURUU，RUUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URURUU，URUURU，RUUUUR，URUUUR，RUUURU，UURRUU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、URURUU，URUURU，RUUUUR，URUUUR，RUUURU，UURRUU、
ここで、ＰＵＣＣＨ構造では、ＵはＵＣＩの送信に使用されるシンボルビットを表し、ＲはＲＳの送信に使用されるシンボルビットを表す。
【０１９３】
１つの可能な実施において、Ａが７の場合：
ＰＵＣＣＨ構造の集合は１つのＰＵＣＣＨ構造を含み、ＰＵＣＣＨ構造の集合に含まれるＰＵＣＣＨ構造はＲＳの送信に使用される１つのシンボルビットを含み、ＰＵＣＣＨ構造の集合に含まれるＰＵＣＣＨ構造は次のＰＵＣＣＨ構造のうちの１つであり、URUUUUU，UURUUUU，UUURUUU，RUUUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、RUUUUUR，URUUUUR，RUUUURU，URUUURU，URUURUU，UURURUU，UURRUUU，UUURRUU、または、
ＰＵＣＣＨ構造の集合は２つのＰＵＣＣＨ構造を含み、ここで、第１のＰＵＣＣＨ構造はＲＳの送信に使用される１つのシンボルビットを含み、第１のＰＵＣＣＨ構造は次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、第２のＰＵＣＣＨ構造は次のＰＵＣＣＨ構造のうちの１つであり、RUUUUUR，URUUUUR，RUUUURU，URUUURU，URUURUU，UURURUU，UURRUUU，UUURRUU、
ここで、ＰＵＣＣＨ構造では、ＵはＵＣＩの送信に使用されるシンボルビットを表し、ＲはＲＳの送信に使用されるシンボルビットを表す。
【０１９４】
１つの可能な実施において、Ａが８の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、URUUUURU，URUUURUU，RUUUUUUR，RUUUUURU，RUUUURUU，RUUURUUU，UUURRUUU，UURUURUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
ここで、ＰＵＣＣＨ構造では、ＵはＵＣＩの送信に使用されるシンボルビットを表し、ＲはＲＳの送信に使用されるシンボルビットを表す。
【０１９５】
１つの可能な実施において、Ａが９の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，RUUURRUUR，UURUUUURU，UUUURRUUU，UUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【０１９６】
１つの可能な実施において、Ａが１０の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
ここで、ＰＵＣＣＨ構造では、ＵはＵＣＩの送信に使用されるシンボルビットを表し、ＲはＲＳの送信に使用されるシンボルビットを表す。
【０１９７】
１つの可能な実施において、Ａが１１の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
ここで、ＰＵＣＣＨ構造では、ＵはＵＣＩの送信に使用されるシンボルビットを表し、ＲはＲＳの送信に使用されるシンボルビットを表す。
【０１９８】
１つの可能な実施において、Ａが１２の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
ここで、ＰＵＣＣＨ構造では、ＵはＵＣＩの送信に使用されるシンボルビットを表し、ＲはＲＳの送信に使用されるシンボルビットを表す。
【０１９９】
１つの可能な実施において、Ａが１３の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
ここで、ＰＵＣＣＨ構造では、ＵはＵＣＩの送信に使用されるシンボルビットを表し、ＲはＲＳの送信に使用されるシンボルビットを表す。
【０２００】
１つの可能な実施において、Ａが１４の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【０２０１】
第７の実施形態
表１に示すように、ＰＵＣＣＨの異なる送信長に対して異なるＵＣＩおよびＲＳパターンが定義され、パターンはシンボルグループを表し、たとえば、パターン１は第１のシンボルグループを表し、パターン２は第２のシンボルグループを表すことができる。ＵはＵＣＩの送信に使用されるシンボルビットを表し、ＲはＲＳの送信に使用されるシンボルビットを表し、ＲＳシンボル番号はＰＵＣＣＨ構造でＲＳの送信に使用されるシンボルビットの数であり、「|」は周波数ホッピングが設定されているときの特定の周波数ホッピング位置を表す。
【０２０２】
【表１】
2020530717.tif 000043
【０２０３】
表１では、４〜７個のシンボル長について、各シンボル長は２つのパターンに対応する。パターン１はＲＳシンボル数が比較的少ないため、低速シーンやタイムスロットでの周波数ホッピングがサポートされていないシーンに比較的適している。パターン２は、ＲＳシンボル数が比較的多いため、高速シーンに適し、より正確なチャネル推定を提供し、タイムスロットでの周波数ホッピングをサポートできる。もちろん、周波数ホッピングが構成も使用もされない場合も、パターン２も使用できる。パターンの１つは実際の需要に応じて基地局によって選択され、構成シグナリングを介して端末に通知される。８〜１４のシンボル長の場合、各シンボル長に１つのパターンのみが定義される。この場合、特定のパターンを通知する必要はなく、対応するパターンはＰＵＣＣＨのシンボル長に従って端末で決定できる。長さが４〜７シンボルのＰＵＣＣＨについて、周波数ホッピングが使用されるように構成されている場合、特定のパターンも端末に通知されないことがあり、この場合、端末がパターン２を選択するように約定する。
【０２０４】
表１は、特定の実施プロセスにおいて、ＰＵＣＣＨの異なるシンボル長（すなわち、ＰＵＣＣＨによって占有されるシンボルの数Ａ）に対する例示に過ぎず、パターンにおいて、シンボルビットの他の分配規則も採用できることを理解されたい。
【０２０５】
第８の実施形態
表２に示すように、異なるＵＣＩおよびＲＳパターンがＰＵＣＣＨの異なる送信長に対して定義され、ここで、パターンはシンボルグループを表し、たとえば、パターン１は第１のシンボルグループを表し、パターン２は第２のシンボルグループを表すことができる。ＵはＵＣＩの送信に使用されるシンボルビットを表し、ＲはＲＳの送信に使用されるシンボルビットを表し、ＲＳシンボル番号はＰＵＣＣＨ構造でＲＳの送信に使用されるシンボルビットの数であり、「|」は周波数ホッピングが設定されているときの特定の周波数ホッピング位置を表す。
【０２０６】
【表２】
2020530717.tif 000044
【０２０７】
表２では、４〜７個のシンボル長および１１〜１４個のシンボル長に関して、各シンボル長は２つのパターンに対応する。パターン１はＲＳシンボル数が比較的少ないため、低速シーンやタイムスロットでの周波数ホッピングがサポートされていないシーンに比較的適している。パターン２は、ＲＳシンボル数が比較的多いため、高速シーンに適し、より正確なチャネル推定を提供し、タイムスロットでの周波数ホッピングをサポートできる。もちろん、周波数ホッピングが構成も使用もされない場合も、パターン２も使用できる。パターンの１つは実際の需要に応じて基地局によって選択され、構成シグナリングを介して端末に通知される。８〜１０のシンボル長の場合、各シンボル長に１つのパターンのみが定義される。この場合、特定のパターンを通知する必要はなく、対応するパターンはＰＵＣＣＨのシンボル長に従って端末で決定できる。長さが４〜７シンボルまたは１１〜１４シンボルのＰＵＣＣＨの場合、周波数ホッピングが使用されるように構成されている場合、特定のパターンも端末に通知されないことがあり、この場合、端末がパターン２を選択するように約定する。
【０２０８】
表２は、特定の実施プロセスにおいて、ＰＵＣＣＨの異なるシンボル長（すなわち、ＰＵＣＣＨによって占有されるシンボルの数Ａ）に対する例示に過ぎず、パターンにおいて、シンボルビットの他の分配規則も採用できることを理解されたい。
【０２０９】
第９の実施形態
表３に示すように、異なるＵＣＩおよびＲＳパターンがＰＵＣＣＨの異なる送信長に対して定義され、ここで、パターンはシンボルグループを表し、たとえば、パターン１は第１のシンボルグループを表し、パターン２は第２のシンボルグループを表すことができる。ＵはＵＣＩの送信に使用されるシンボルビットを表し、ＲはＲＳの送信に使用されるシンボルビットを表し、ＲＳシンボル番号はＰＵＣＣＨ構造でＲＳの送信に使用されるシンボルビットの数であり、「|」は周波数ホッピングが設定されているときの特定の周波数ホッピング位置を表す。
【０２１０】
【表３】
2020530717.tif 000045
【０２１１】
表３では、４〜１４シンボルのＰＵＣＣＨの各送信長に対して２つのパターンが定義されている。パターン１はＲＳシンボル数が比較的少ないため、低速シーンやタイムスロットでの周波数ホッピングがサポートされていないシーンに比較的適している。パターン２は、ＲＳシンボル数が比較的多いため、高速シーンに適し、より正確なチャネル推定を提供し、タイムスロットでの周波数ホッピングをサポートできる。もちろん、周波数ホッピングが構成も使用もされない場合も、パターン２も使用できる。パターンの１つは実際の需要に応じて基地局によって選択され、構成シグナリングを介して端末に通知される。周波数ホッピングが使用されるように構成されている場合、特定のパターンも端末に通知されないことがあり、この場合、端末がパターン２を選択するように約定する。
【０２１２】
表３は、特定の実施プロセスにおいて、ＰＵＣＣＨの異なるシンボル長（すなわち、ＰＵＣＣＨによって占有されるシンボルの数Ａ）に対する例示に過ぎず、パターンにおいて、シンボルビットの他の分配規則も採用できることを理解されたい。
【０２１３】
第９の実施形態
表４に示すように、ＰＵＣＣＨの１つの送信長に対して１つのＵＣＩおよびＲＳパターンが定義され、ここで、パターンはシンボルグループを表し、ＵはＵＣＩの送信に使用されるシンボルビットを表し、ＲはＲＳの送信に使用されるシンボルビットを表し、ＲＳシンボル番号はＰＵＣＣＨ構造でＲＳの送信に使用されるシンボルビットの数であり、「|」は周波数ホッピングが設定されているときの特定の周波数ホッピング位置を表す。
【０２１４】
【表４】
2020530717.tif 000046
【０２１５】
表４では、４〜１４シンボルのＰＵＣＣＨの各送信長に対して１つのパターンが定義され、このパターンに含まれるＲＳシンボル数が比較的多いため、高速シーンに適し、より正確なチャネル推定を提供し、タイムスロットでの周波数ホッピングをサポートできる。周波数ホッピングが設定または使用されていない場合、当該パターンも使用できる。また、パターンは低速シーンもサポートできる。したがって、この場合、端末は、ＰＵＣＣＨの送信長さＡのみが取得される場合、数Ａに従って対応するパターンを決定することができる。特定のシグナリング構成プロセスは、高位層シグナリングまたはＰＤＣＣＨの指示フィールドを使用して、ＰＵＣＣＨのシンボル長を端末に通知する。これにより、端末は当該シンボル長に従って対応するパターンを決定することができる。また、高位層シグナリングまたはＰＤＣＣＨの指示フィールドを使用して、端末にパターンインデックスまたはシリアル番号を端末に通知する。これにより、端末は、パターンインデックスまたはシリアル番号に従って、対応するパターンと対応するシンボル長を決定できる。
【０２１６】
上述の技術スキームにおける１つ以上の技術スキームは、以下の技術的効果または利点を有する：
本出願の実施中に、最初に、送信を必要とするＰＵＣＣＨによって占有されるシンボルの数Ａが決定され、次に、シンボルの数Ａに従って対応するＰＵＣＣＨ構造の集合を決定し、ＰＵＣＣＨ構造の集合からＰＵＣＣＨに対応するＰＵＣＣＨ構造を決定し、ＰＵＣＣＨ送信は、ＰＵＣＣＨに対応するＰＵＣＣＨ構造に基づいて実行される。
【０２１７】
ＰＵＣＣＨ構造の集合はシンボルの数に対応し、ＰＵＣＣＨ構造のいずれか１つはシンボルビットを含み、その数はシンボルの数と同じであり、したがっ、本出願の実施形態に係るＰＵＣＣＨ送信方法は、ＰＵＣＣＨによって占有されるシンボルの固定されていない数に対する需要を満たすことができ、新しい無線通信システムにおけるＰＵＣＣＨ送信をサポートすることができる。
【０２１８】
さらに、本出願の実施形態では、ＰＵＣＣＨ構造の集合を決定した後にＰＵＣＣＨ構造の集合からＰＵＣＣＨ構造を決定することにより、リソースシンボルの数が複数のＰＵＣＣＨ構造に対応する場合に、ＰＵＣＣＨ送信が依然として正常に実行できることが保証される。
【０２１９】
さらに、ＰＵＣＣＨ構造の集合内の異なるＰＵＣＣＨ構造に関するシンボルビット分配規則および／またはＲＳの送信に使用されるシンボルビットの数は異なり、したがって、本出願の実施形態に係るＰＵＣＣＨ送信方法は、周波数ホッピング有無、さまざまな移動速度などのシーンでの異なるＰＵＣＣＨ送信要求を、サポートすることができる。
【０２２０】
さらに、本出願の実施形態では、１つのＰＵＣＣＨの送信長について、同じＰＵＣＣＨ構造または異なるＲＳシンボルの数を有するＰＵＣＣＨ構造が、異なる送信要求の下でＰＵＣＣＨの通常の送信をサポートするように定義される。
【０２２１】
表４は、特定の実施プロセスにおいて、ＰＵＣＣＨの異なるシンボル長（すなわち、ＰＵＣＣＨによって占有されるシンボルの数Ａ）に対する例示に過ぎず、パターンにおいて、シンボルビットの他の分配規則も採用できることを理解されたい。
【０２２２】
同じ技術的概念に基づいて、本出願の実施形態は、コンピュータ実行可能命令がコンピュータ可読記憶媒体に格納され、上記の実施形態で説明されたＰＵＣＣＨ送信方法のプロセスをコンピュータに実行させるために使用されるコンピュータ記憶媒体を、提供する。
【０２２３】
上述した実施形態に記述された技術的な解決手段を改造し、またはその中の一部の技術要素を置換することもできる。そのような、改造と置換は本発明の各実施形態の技術の範囲から逸脱するとは見なされない。
【０２２４】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０２２５】
301  決定ユニット
302  送信ユニット
401  決定ユニット
402  送受信ユニット
501  プロセッサ
502  メモリ
503  送受信機
504  ユーザーインターフェース
601  プロセッサ
602  メモリ
603  送受信機
【図１】
2020530717.tif 000063
【図２】
2020530717.tif 000064
【図３】
2020530717.tif 000065
【図４】
2020530717.tif 000066
【図５】
2020530717.tif 000067
【図６】
2020530717.tif 000068
【手続補正書】
【提出日】令和2年2月13日(2020.2.13)
【手続補正１】
【補正対象書類名】明細書
【補正対象項目名】００１７
【補正方法】変更
【補正の内容】
【００１７】
可能な一実施では、Ａが９の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【手続補正２】
【補正対象書類名】明細書
【補正対象項目名】００２３
【補正方法】変更
【補正の内容】
【００２３】
可能な一実施では、Ａが１４の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【手続補正３】
【補正対象書類名】明細書
【補正対象項目名】００３３
【補正方法】変更
【補正の内容】
【００３３】
可能な一実施では、Ａが９の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【手続補正４】
【補正対象書類名】明細書
【補正対象項目名】００３８
【補正方法】変更
【補正の内容】
【００３８】
可能な一実施では、Ａが１４の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【手続補正５】
【補正対象書類名】明細書
【補正対象項目名】００４８
【補正方法】変更
【補正の内容】
【００４８】
可能な一実施では、Ａが９の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【手続補正６】
【補正対象書類名】明細書
【補正対象項目名】００５３
【補正方法】変更
【補正の内容】
【００５３】
可能な一実施では、Ａが１４の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【手続補正７】
【補正対象書類名】明細書
【補正対象項目名】００６３
【補正方法】変更
【補正の内容】
【００６３】
可能な一実施では、Ａが９の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【手続補正８】
【補正対象書類名】明細書
【補正対象項目名】００６８
【補正方法】変更
【補正の内容】
【００６８】
可能な一実施では、Ａが１４の場合：
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【手続補正９】
【補正対象書類名】明細書
【補正対象項目名】０１０３
【補正方法】変更
【補正の内容】
【０１０３】
１つの可能な実施において、ＰＵＣＣＨによって占有されるシンボルの数Ａが９の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，UUUURRUUU，UUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【手続補正１０】
【補正対象書類名】明細書
【補正対象項目名】０１０８
【補正方法】変更
【補正の内容】
【０１０８】
１つの可能な実施において、ＰＵＣＣＨによって占有されるシンボルの数Ａが１４の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【手続補正１１】
【補正対象書類名】明細書
【補正対象項目名】０１２２
【補正方法】変更
【補正の内容】
【０１２２】
１つの可能な実施において、Ａが９の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，UUUURRUUU，UUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【手続補正１２】
【補正対象書類名】明細書
【補正対象項目名】０１２７
【補正方法】変更
【補正の内容】
【０１２７】
１つの可能な実施において、Ａが１４の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【手続補正１３】
【補正対象書類名】明細書
【補正対象項目名】０１３９
【補正方法】変更
【補正の内容】
【０１３９】
可能な一実施では、Ａが９の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，UUUURRUUU，UUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【手続補正１４】
【補正対象書類名】明細書
【補正対象項目名】０１４４
【補正方法】変更
【補正の内容】
【０１４４】
可能な一実施では、Ａが１４の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【手続補正１５】
【補正対象書類名】明細書
【補正対象項目名】０１５８
【補正方法】変更
【補正の内容】
【０１５８】
１つの可能な実施において、Ａが９の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，RUURRUUUR，UUUURRUUU，UUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【手続補正１６】
【補正対象書類名】明細書
【補正対象項目名】０１６３
【補正方法】変更
【補正の内容】
【０１６３】
１つの可能な実施において、Ａが１４の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【手続補正１７】
【補正対象書類名】明細書
【補正対象項目名】０１７７
【補正方法】変更
【補正の内容】
【０１７７】
１つの可能な実施において、Ａが９の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【手続補正１８】
【補正対象書類名】明細書
【補正対象項目名】０１８２
【補正方法】変更
【補正の内容】
【０１８２】
１つの可能な実施において、Ａが１４の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【手続補正１９】
【補正対象書類名】明細書
【補正対象項目名】０１９５
【補正方法】変更
【補正の内容】
【０１９５】
１つの可能な実施において、Ａが９の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
ここで、ＰＵＣＣＨ構造では、ＵはＵＣＩの送信に使用されるシンボルビットを表し、ＲはＲＳの送信に使用されるシンボルビットを表す。
【手続補正２０】
【補正対象書類名】明細書
【補正対象項目名】０２００
【補正方法】変更
【補正の内容】
【０２００】
１つの可能な実施において、Ａが１４の場合：
ＰＵＣＣＨ構造の集合は１つのＰＵＣＣＨ構造を含み、ＰＵＣＣＨ構造の集合に含まれるＰＵＣＣＨ構造は、ＲＳの送信に使用される２つのシンボルビットを含み、ＰＵＣＣＨ構造の集合に含まれるＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、または、
ＰＵＣＣＨ構造の集合は１つのＰＵＣＣＨ構造を含み、ＰＵＣＣＨ構造の集合に含まれるＰＵＣＣＨ構造は、ＲＳの送信に使用される３つまたは４つのシンボルビットを含み、ＰＵＣＣＨ構造の集合に含まれるＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、または、
ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、第１のＰＵＣＣＨ構造は次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、第２のＰＵＣＣＨ構造は次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
ここで、ＰＵＣＣＨ構造では、ＵはＵＣＩの送信に使用されるシンボルビットを表し、ＲはＲＳの送信に使用されるシンボルビットを表す。
【手続補正２１】
【補正対象書類名】特許請求の範囲
【補正対象項目名】全文
【補正方法】変更
【補正の内容】
【特許請求の範囲】
【請求項１】
ＰＵＣＣＨによって占有されるシンボルの数Ａを決定するステップと、
前記シンボルの数Ａに対応して構成されるＰＵＣＣＨ構造の集合を決定するステップと、
前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ送信を実行するステップとを備え、
Ａは正の整数であり、
前記ＰＵＣＣＨ構造の集合に含まれるＰＵＣＣＨ構造はＡ個のシンボルビットを含み、前記ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であることを特徴とする物理アップリンク制御チャネルＰＵＣＣＨ送信方法。
【請求項２】
前記ＰＵＣＣＨ構造の集合が１つのＰＵＣＣＨ構造を含む場合、前記ＰＵＣＣＨ構造の集合から、前記ＰＵＣＣＨに対応するＰＵＣＣＨ構造を決定することは、
前記ＰＵＣＣＨ構造の集合に含まれる１つのＰＵＣＣＨ構造を対応するＰＵＣＣＨ構造とすることを含み、または、
前記ＰＵＣＣＨ構造の集合が複数のＰＵＣＣＨ構造を含む場合、前記ＰＵＣＣＨ構造の集合から、前記ＰＵＣＣＨに対応するＰＵＣＣＨ構造を決定する場合、
取得された構成命令に従って、対応するＰＵＣＣＨ構造として前記ＰＵＣＣＨ構造の集合から１つのＰＵＣＣＨ構造を選択し、および/または、
前記ＰＵＣＣＨ送信に対して周波数ホッピングが実行されると決定した場合、対応するＰＵＣＣＨ構造として、前記ＰＵＣＣＨ構造の集合から、ＲＳの送信に使用されるシンボルビットが最大であるＰＵＣＣＨ構造を選択することを特徴とする請求項１に記載の物理アップリンク制御チャネルＰＵＣＣＨ送信方法。
【請求項３】
前記ＰＵＣＣＨ構造の集合は１つ以上のＰＵＣＣＨ構造を含む場合、
前記シンボルの数Ａの値がＸ１〜Ｘ２である場合、Ｘ１〜Ｘ２のシンボルの各数Ａについて、前記ＰＵＣＣＨ構造の集合において少なくとも２つのＰＵＣＣＨ構造を定義し、前記シンボルの数Ａの値が（Ｘ２＋１）〜Ｘ４である場合、（Ｘ２＋１）〜Ｘ４のシンボルの各数Ａについて、前記ＰＵＣＣＨ構造の集合において１つのＰＵＣＣＨ構造を定義し、または、
前記シンボルの数Ａの値がＸ１〜Ｘ２、Ｘ３〜Ｘ４である場合、Ｘ１〜Ｘ２、Ｘ３〜Ｘ４のシンボルの各数Ａについて、前記ＰＵＣＣＨ構造の集合において少なくとも２つのＰＵＣＣＨ構造を定義し、前記シンボルの数Ａの値が（Ｘ２＋１）〜（Ｘ３−１）である場合、（Ｘ２＋１）〜（Ｘ３−１）のシンボルの各数Ａについて、前記ＰＵＣＣＨ構造の集合において１つのＰＵＣＣＨ構造を定義し、または、
前記ＰＵＣＣＨによってサポートされるシンボルの各数Ａの値について、前記ＰＵＣＣＨ構造の集合において少なくとも２つのＰＵＣＣＨ構造を定義し、または、
前記ＰＵＣＣＨによってサポートされるシンボルの各数Ａの値について、前記ＰＵＣＣＨ構造の集合において１つのＰＵＣＣＨ構造を定義し、
ここで、Ｘ１、Ｘ２、Ｘ３、Ｘ４は正の整数であり、Ｘ１<Ｘ２<Ｘ３<Ｘ４であることを特徴とする請求項１に記載の物理アップリンク制御チャネルＰＵＣＣＨ送信方法。
【請求項４】
前記ＰＵＣＣＨ送信に対して周波数ホッピングが実行されると決定した場合、前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ送信を実行する場合、
前記ＰＵＣＣＨに含まれる最初の
【数１】
2020530717.tif 000069
個のシンボルを第１のシンボルグループとして、前記ＰＵＣＣＨに含まれる最後の
【数２】
2020530717.tif 000070
個のシンボルを第２のシンボルグループとして、異なる周波数領域位置で前記第１のシンボルグループによって運ばれる情報、前記第２のシンボルグループによって運ばれる情報を送信し、または、
前記ＰＵＣＣＨに含まれる最初の
【数３】
2020530717.tif 000071
個のシンボルを第１のシンボルグループとして、前記ＰＵＣＣＨに含まれる最後の
【数４】
2020530717.tif 000072
個のシンボルを第２のシンボルグループとして、異なる周波数領域位置で前記第１のシンボルグループによって運ばれる情報、前記第２のシンボルグループによって運ばれる情報を送信することを特徴とする請求項１に記載の物理アップリンク制御チャネルＰＵＣＣＨ送信方法。
【請求項５】
Ａが４の場合、方式１−３のうちの１つが選択され：
方式１：前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUU，UURU，RUUU、
方式２：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRU，RURU，RUUR，URUR、および、
方式３：前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUU，UURU，RUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRU，RURU，RUUR，URUR、
および/または、
Ａが５の場合、方式４−６のうちの１つが選択され：
方式４：前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、UURUU，URUUU，RUUUU、
方式５：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRUU，UURRU，RUURU，RURUU，URURU、および、
方式６：前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、UURUU，URUUU，RUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRUU，UURRU，RUURU，RURUU，URURU、
および/または、
Ａが６の場合、方式７−９のうちの１つが選択され：
方式７：前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUU，UURUUU，UUURUU，RUUUUU、
方式８：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URURUU，URUURU，RUUUUR，URUUUR，RUUURU，UURRUU、および、
方式９：前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URURUU，URUURU，RUUUUR，URUUUR，RUUURU，UURRUU、
および/または、
Ａが７の場合、方式１０−１２のうちの１つが選択され：
方式１０：前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUUU，UURUUUU，UUURUUU，RUUUUUU、
方式１１：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、および、
方式１２：前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、
および/または、
Ａが８の場合、方式１３−１５のうちの１つが選択され：
方式１３：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU、
方式１４：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、および、
方式１５：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
および/または、
Ａが９の場合、方式１６−１８のうちの１つが選択され：
方式１６：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU、
方式１７：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、および、
方式１８：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
および/または、
Ａが１０の場合、方式１９−２１のうちの１つが選択され：
方式１９：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、
方式２０：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、および、
方式２１：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
および/または、
Ａが１１の場合、方式２２−２４のうちの１つが選択され：
方式２２：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、
方式２３：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、および、
方式２４：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
および/または、
Ａが１２の場合、方式２５−２７のうちの１つが選択され：
方式２５：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、
方式２６：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、および、
方式２７：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
および/または、
Ａが１３の場合、方式２８−３０のうちの１つが選択され：
方式２８：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、
方式２９：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、および、
方式３０：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
および/または、
Ａが１４の場合、方式３１−３３のうちの１つが選択され：
方式３１：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、
方式３２：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、および、
方式３３：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，：URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
および、
ここで、ＰＵＣＣＨ構造では、ＵはＵＣＩの送信に使用されるシンボルビットを表し、ＲはＲＳの送信に使用されるシンボルビットを表すことを特徴とする請求項１から請求項４のいずれか１項に記載の物理アップリンク制御チャネルＰＵＣＣＨ送信方法。
【請求項６】
ＰＵＣＣＨによって占有されるシンボルの数Ａを決定し、Ａは正の整数であり、
前記シンボルの数Ａに対応して構成されるＰＵＣＣＨ構造の集合を決定し、前記ＰＵＣＣＨ構造の集合に含まれるＰＵＣＣＨ構造はＡ個のシンボルビットを含み、前記ＰＵＣＣＨ構造の集合は１つ以上のＰＵＣＣＨ構造を含み、複数のＰＵＣＣＨ構造が含まれる場合、異なるＰＵＣＣＨ構造において、パイロット情報ＲＳを送信するためのシンボルビットの数が異なり、ここで、ＰＵＣＣＨ構造は、アップリンク制御情報（ＵＣＩ）の送信に使用されるシンボルビットおよびＲＳの送信に使用されるシンボルビットの分配規則であり、
前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ受信を実行することを特徴とする物理アップリンク制御チャネルＰＵＣＣＨ送信方法。
【請求項７】
前記ＰＵＣＣＨ構造の集合が１つのＰＵＣＣＨ構造を含む場合、前記ＰＵＣＣＨ構造の集合から、前記ＰＵＣＣＨに対応するＰＵＣＣＨ構造を決定することは、前記ＰＵＣＣＨ構造の集合に含まれる１つのＰＵＣＣＨ構造を対応するＰＵＣＣＨ構造とすることを含み、または、
前記ＰＵＣＣＨ構造の集合が複数のＰＵＣＣＨ構造を含む場合、前記ＰＵＣＣＨ構造の集合から、前記ＰＵＣＣＨに対応するＰＵＣＣＨ構造を決定する場合、
前記ＰＵＣＣＨ構造の集合から対応するＰＵＣＣＨ構造として１つのＰＵＣＣＨ構造を選択し、選択結果を構成命令を通じて端末に通知し、および/または、
ＰＵＣＣＨ送信に対して周波数ホッピングが実行されると決定した場合、前記ＰＵＣＣＨ構造の集合から、対応するＰＵＣＣＨ構造として、ＲＳの送信に使用されるシンボルビットが最大であるＰＵＣＣＨ構造を選択し、構成命令を通じて周波数ホッピングの要求を端末に通知することを特徴とする請求項６に記載の物理アップリンク制御チャネルＰＵＣＣＨ送信方法。
【請求項８】
前記ＰＵＣＣＨ構造の集合は１つ以上のＰＵＣＣＨ構造を含む場合、
前記シンボルの数Ａの値がＸ１〜Ｘ２である場合、Ｘ１〜Ｘ２のシンボルの各数Ａについて、前記ＰＵＣＣＨ構造の集合において少なくとも２つのＰＵＣＣＨ構造を定義し、前記シンボルの数Ａの値が（Ｘ２＋１）〜Ｘ４である場合、（Ｘ２＋１）〜Ｘ４のシンボルの各数Ａについて、前記ＰＵＣＣＨ構造の集合において１つのＰＵＣＣＨ構造を定義し、または、
前記シンボルの数Ａの値が￥Ｘ１〜Ｘ２、Ｘ３〜Ｘ４である場合、Ｘ１〜Ｘ２、Ｘ３〜Ｘ４のシンボルの各数Ａについて、前記ＰＵＣＣＨ構造の集合において少なくとも２つのＰＵＣＣＨ構造を定義し、前記シンボルの数Ａの値が（Ｘ２＋１）〜（Ｘ３−１）である場合、（Ｘ２＋１）〜（Ｘ３−１）のシンボルの各数Ａについて、前記ＰＵＣＣＨ構造の集合において１つのＰＵＣＣＨ構造を定義し、または、
前記ＰＵＣＣＨによってサポートされるシンボルの各数Ａの値について、前記ＰＵＣＣＨ構造の集合において少なくとも２つのＰＵＣＣＨ構造を定義し、または、
前記ＰＵＣＣＨによってサポートされるシンボルの各数Ａの値について、前記ＰＵＣＣＨ構造の集合において１つのＰＵＣＣＨ構造を定義し、
ここで、Ｘ１、Ｘ２、Ｘ３、Ｘ４は正の整数であり、Ｘ１<Ｘ２<Ｘ３<Ｘ４であることを特徴とする請求項６に記載の物理アップリンク制御チャネルＰＵＣＣＨ送信方法。
【請求項９】
ＰＵＣＣＨ送信に対して周波数ホッピングが実行されると決定した場合、前記ＰＵＣＣＨ構造の集合から、前記ＰＵＣＣＨに対応するＰＵＣＣＨ構造を決定し、前記に対応するＰＵＣＣＨ構造に基づいてＰＵＣＣＨ受信を実行する場合、
前記ＰＵＣＣＨに含まれる最初の
【数５】
2020530717.tif 000073
個のシンボルを第１のシンボルグループとして、前記ＰＵＣＣＨに含まれる最後の
【数６】
2020530717.tif 000074
個のシンボルを第２のシンボルグループとして、異なる周波数領域位置で前記第１のシンボルグループによって運ばれる情報と、前記第２のシンボルグループによって運ばれる情報を受信し、または、
前記ＰＵＣＣＨに含まれる最初の
【数７】
2020530717.tif 000075
個のシンボルを第１のシンボルグループとして、前記ＰＵＣＣＨに含まれる最後の
【数８】
2020530717.tif 000076
個のシンボルを第２のシンボルグループとして、異なる周波数領域位置で前記第１のシンボルグループによって運ばれる情報と、前記第２のシンボルグループによって運ばれる情報を受信することを特徴とする請求項６に記載の物理アップリンク制御チャネルＰＵＣＣＨ送信方法。
【請求項１０】
Ａが４の場合、方式１−３のうちの１つが選択され：
方式１：前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUU，UURU，RUUU、
方式２：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRU，RURU，RUUR，URUR、および、
方式３：前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUU，UURU，RUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRU，RURU，RUUR，URUR、
および/または、
Ａが５の場合、方式４−６のうちの１つが選択され：
方式４：前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、UURUU，URUUU，RUUUU、
方式５：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URRUU，UURRU，RUURU，RURUU，URURU、および、
方式６：前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、UURUU，URUUU，RUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URRUU，UURRU，RUURU，RURUU，URURU、
および/または、
Ａが６の場合、方式７−９のうちの１つが選択され：
方式７：前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUU，UURUUU，UUURUU，RUUUUU、
方式８：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URURUU，URUURU，RUUUUR，URUUUR，RUUURU，UURRUU、および、
方式９：前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUU，UURUUU，UUURUU，RUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、URURUU，URUURU，RUUUUR，URUUUR，RUUURU，UURRUU、
および/または、
Ａが７の場合、方式１０−１２のうちの１つが選択され：
方式１０：前記ＰＵＣＣＨ構造の集合は１つのＰＵＣＣＨ構造を含み、前記ＰＵＣＣＨ構造の集合に含まれるＰＵＣＣＨ構造はＲＳの送信に使用される１つのシンボルビットを含み、前記ＰＵＣＣＨ構造の集合に含まれるＰＵＣＣＨ構造は、次のＰＵＣＣＨ構造のうちの１つであり、URUUUUU，UURUUUU，UUURUUU，RUUUUUU、
方式１１：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、および、
方式１２：前記ＰＵＣＣＨ構造の集合は２つのＰＵＣＣＨ構造を含み、ここで、第１のＰＵＣＣＨ構造はＲＳの送信に使用される１つのシンボルビットを含み、前記第１のＰＵＣＣＨ構造は、次のＰＵＣＣＨ構造のうちの１つであり、URUUUUU，UURUUUU，UUURUUU，RUUUUUU、ここで、第２のＰＵＣＣＨ構造は、ＲＳの送信に使用される２つのシンボルビットを含み、前記第２のＰＵＣＣＨ構造は、次のＰＵＣＣＨ構造のうちの１つであり、RUUUUUR，URUUUUR，RUUUURU，URUUURU，URUURUU，UURURUU，UURRUUU，UUURRUU、
および/または、
Ａが８の場合、方式１３−１５のうちの１つが選択され：
方式１３：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU、
方式１４：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URRUURRU，URURURUR，RURURURU，RUURRUUR，RURUURUR，RUURUURU，RUURUUUR，RUUURUUR，URURUURU，URURURUU、および、
方式１５：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、URUUUURU，URUUURUU，RUUUUUUR，RUUUUURU，RUUUURUU，RUUURUUU，UUURRUUU，UURUURUU，UUURUUUU，RUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URRUURRU，URURURUR，RURURURU，RURUURUR，RUURRUUR，RUURUURU，RUURUUUR，RUUURUUR，URURUURU，URURURUU、
および/または、
Ａが９の場合、方式１６−１８のうちの１つが選択され：
方式１６：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU、
方式１７：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、および、
方式１８：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUURUU，URUUUURUU，URUUUUURU，URUUURUUU，RUUURUUUU，RUUUUUUUR，RUUUUURUU，RUUUUUURU，RUUUURUUU，UURUUUURU，UUUURRUUU，UUURRUUUU，RUUUUUUUU，UUUURUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURU，URRUURRUU，URRUUURRU，RUURRUURU，RUURRUUUR，RUUURRUUR，RUURURUUR，RURUURUUR，URURURUUR，RUUURUUUR，URUURUURU，URUUURURU、
および/または、
Ａが１０の場合、方式１９−２１のうちの１つが選択され：
方式１９：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU、
方式２０：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、および、
方式２１：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUU，URUUUURUUU，URUUUUUURU，RUUUURUUUU，UURUUURUUU，URUUURUUUU，URUUUUURUU，RUUUUUUUUR，RUUUUUURUU，RUUUUURUUU，UUUURRUUUU，RUUUUUUUUU，UUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URURURURUU，URURUURURU，URUURRUURU，URRUUUURRU，UURRUURRUU，RUURUURUUR，RUUURRUUUR，URURURUURU，RUUURUUURU，RUUURUUUUR，URUURUURUU，URUUURUUUR、
および/または、
Ａが１１の場合、方式２２−２４のうちの１つが選択され：
方式２２：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR、
方式２３：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、および、
方式２４：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUURUUU，UURUUUUURUU，URUUUUURUUU，URUUUUUUURU，RUUUURUUUUU，RUUUUURUUUU，UUURUUURUUU，URUUURUUUU，RUUUUUUUURU，URUUUUUUUUR，URUUUUUURUU，UUUURRUUUUU，RUUUUUUUUUR，RUUUUUUUUUU，UUUUURUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURURURUU，URURUURURUU，URURUURUURU，URURUUURURU，URUURURUURU，URRUUUUURRU，URRUUUURRUU，UURRUUURRUU，RUURUUURUUR，RUUURURUUUR，RUUURRUUUUR，RUUUURRUUUR，URUUURUUURU，RUUUURUUUUR，UURUURUURUU，URUUURUUURU、
および/または、
Ａが１２の場合、方式２５−２７のうちの１つが選択され：
方式２５：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR、
方式２６：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、および、
方式２７：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UUURUUUURUUU，UURUUUUUURUU，UURUUUUURUUU，URUUUUUUUURU，RUUUUURUUUUU，UURUUURUUUU，UUUUURRUUUUU，RUUUUUUUUUUR，RUUUUUUUUUUU，UUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUURURUU，URUURUURUURU，URURUUURURUU，URURUUUURURU，UURRUUUURRUU，UURRUUURRUUU，RUURUUUURUUR，RUUURUURUUUR，RUUUURRUUUUR，RUUURURUUURU，URUUURUUURUU，URUUURUUUURU，URUUUURUUURU，RUUUURUUUURU，RUUUUURUUUUR，RUUUURUUUUUR，UURUURUUURUU，UURUUURUURUU，UURUURUURUUU、
および/または、
Ａが１３の場合、方式２８−３０のうちの１つが選択され：
方式２８：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR、
方式２９：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、および、
方式３０：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUURUU，UUURUUUUURUUU，URUUUUUUUUURU，RUUUUURUUUUUU，RUUUUUURUUUUU，UURUUUUUURUUU，UUUUURRUUUUUU，RUUUUUUUUUUUR，RUUUUUUUUUUUU，UUUUUURUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、UURURUUURURUU，URUURUUURUURU，URURUUUUURURU，URUURUURUURUU，URUURUURUUURU，UURRUUUUURRUU，UUURRUUURRUUU，RUURUURUURUUU，RUURUUUUURUUR，RUUURUUURUUUR，RUUUURRUUUUUR，URUUURURUUURU，RUUURUURUUURU，UURUUURUUURUU，URUUUURUUUURU，RUUUUURUUUUUR，UUURUURUURUUU，UURUUUURUURUU、
および/または、
Ａが１４の場合、方式３１−３３のうちの１つが選択され：
方式３１：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される２つのシンボルビットを含み、前記ＰＵＣＣＨ構造の集合に含まれるＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR、
方式３２：前記ＰＵＣＣＨ構造の集合は１つのＰＵＣＣＨ構造を含み、前記ＰＵＣＣＨ構造の集合に含まれるＰＵＣＣＨ構造は、ＲＳの送信に使用される３つまたは４つのシンボルビットを含み、前記ＰＵＣＣＨ構造の集合に含まれるＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、および、
方式３３：前記ＰＵＣＣＨ構造の集合は２つのＰＵＣＣＨ構造を含み、ここで、第１のＰＵＣＣＨ構造は、ＲＳの送信に使用される１つのまたは２つのシンボルビットを含み、前記第１のＰＵＣＣＨ構造は、次のＰＵＣＣＨ構造のうちの１つであり、UURUUUUUUUURUU，UUUURUUUURUUUU，URUUUUUUUUUURU，RUUUUUURUUUUUU，UUURUUUUUURUUU，UUUUUURRUUUUUU，RUUUUUUUUUUUUR，RUUUUUUUUUUUUU，UUUUUURUUUUUUU、ここで、第２のＰＵＣＣＨ構造は、ＲＳの送信に使用される３つまたは４つのシンボルビットを含み、前記第２のＰＵＣＣＨ構造は、次のＰＵＣＣＨ構造のうちの１つであり、URUUURUURUUURU，UURURUUUURURUU，URUURUUUURUURU，URUURUUURUURUU，URURUUUUUURURU，UURUURUURUURUU，UURRUUUUUURRUU，UUURRUUUURRUUU，RUURUUURUURUUU，RUURUUUUUURUUR，RUUURUUUURUUUR，RUUUUURRUUUUUR，UURUURUUURUURU，URUUUURUUUURUU，URUUUURUUUUURU，URUUUUURUUUURU，RUUUUURUUUUUUR，RUUUUUURUUUUUR，RUUUUURUUUUURU，URUUUUURUUUUUR，UUURUUURUURUUU，UUURUURUUURUUU，UURUUURUUURUUU，UURUUUURUUURUU、
および、
ここで、ＰＵＣＣＨ構造では、ＵはＵＣＩの送信に使用されるシンボルビットを表し、ＲはＲＳの送信に使用されるシンボルビットを表すことを特徴とする請求項６から請求項９のいずれか１項に記載の物理アップリンク制御チャネルＰＵＣＣＨ送信方法。
【請求項１１】
プロセッサと、プロセッサに接続されたメモリと、送受信機とを備え、前記プロセッサは、メモリ内のプログラムを読み取り、請求項１から請求項５のいずれか一項に記載の方法を実行するように構成されることを特徴とするユーザー機器。
【請求項１２】
プロセッサと、プロセッサに接続されたメモリと、送受信機とを備え、
前記プロセッサは、メモリ内のプログラムを読み取り、請求項６から請求項１０のいずれか一項に記載の方法を実行するように構成されたことを特徴とする装置。、
【請求項１３】
コンピュータ実行可能命令がコンピュータ可読記憶媒体に格納され、請求項１〜１５のいずれか一項に記載の方法または請求項６から請求項１０のいずれか一項に記載の方法をコンピュータに実行させるために使用されるコンピュータ記憶媒体。
【国際調査報告】
2020530717.tif 000077
2020530717.tif 000078
2020530717.tif 000079
2020530717.tif 000080